(57)【要約】  一体型粘着センサアレイは、ユニットとしてパッケージ化された、粘着パッチと、センサハブと、着脱式センサポッドとを含む。パッチは、着脱式センサポッドのためのドッキングエリアを含み得る。着脱式センサポッドは、少なくとも１つのセンサを含み、パッチから分離されて体の上の様々な位置に貼付されるように構成され得る。着脱式センサポッドは、パッチ上にあるときにワイヤードリンクを介して、およびパッチから分離されたときにワイヤレスリンクを介して、センサハブにセンサデータを送り得る。センサハブは、着脱式センサポッドからセンサデータを受信し、そのデータを受信機に中継する。センサハブおよび着脱式センサポッドは、情報を伝達するためのインジケータを含み得る。センサハブは、メインセンサユニットまたはメインパッチに取り付けられたセンサハブおよび着脱式センサポッドに給電するための電源を含み得る。
2017503536.tif 000002
【特許請求の範囲】
【請求項１】
体の物理的または生理的パラメータを測定するための一体型粘着センサアレイであって、
パッチと、
前記パッチに結合されたセンサハブと、
前記パッチに着脱可能に結合された着脱式センサポッドとを備え、
前記パッチが、
フレキシブル粘着基板と、
前記フレキシブル粘着基板と一体化されたフレキシブルレイヤであって、前記センサハブおよび前記センサハブに結合されたセンサハブ配線をサポートする、フレキシブルレイヤと、
前記着脱式センサポッドが着脱可能に結合されたドッキングエリアであって、前記センサハブ配線に結合されたコネクタを含むドッキングエリアとを備え、
前記センサハブが、
ワイヤレストランシーバと、
第１のエネルギー貯蔵要素と、
前記ワイヤレストランシーバ、前記センサハブ配線、および前記第１のエネルギー貯蔵要素に結合されたプロセッサであって、前記センサハブが受信機の範囲内にあるときに前記受信機と第１のワイヤレス通信リンクを確立するステップを含む動作を実施するようにプロセッサ実行可能命令を用いて構成されるプロセッサとを備え、
前記着脱式センサポッドが、
センサと、
第２のエネルギー貯蔵要素と、
前記センサおよび前記第２のエネルギー貯蔵要素に結合された送信機とを備え、
前記着脱式センサポッドが、
前記着脱式センサポッドが前記ドッキングエリアに取り付けられているときに、前記パッチ上で前記センサハブ配線に結合されたコネクタへの接続を介して、前記着脱式センサポッドが前記センサハブに結合され前記センサハブによって給電され、
前記着脱式センサポッドが前記ドッキングエリアから分離されるときに、前記着脱式センサポッドの前記送信機と前記センサハブのワイヤレストランシーバとの間に確立された第２のワイヤレス通信リンクを介して、前記着脱式センサポッドが前記センサハブにセンサデータを送信するように構成される、一体型粘着センサアレイ。
【請求項２】
前記センサハブが、前記プロセッサに結合された第１のインジケータをさらに備え、
前記プロセッサが、前記第１のワイヤレス通信リンクが受信機と確立されたときに、前記第１のインジケータ上に第１の表示をもたらすステップを含む動作を実施するように、プロセッサ実行可能命令を用いて構成される、請求項１に記載の一体型粘着センサアレイ。
【請求項３】
前記プロセッサが、前記着脱式センサポッドが前記ドッキングエリアから分離されたときに、体の上の前記着脱式センサポッドの適切な設置に関する第２の表示を前記第１のインジケータ上にもたらすステップをさらに含む動作を実施するように、プロセッサ実行可能命令を用いて構成される、請求項２に記載の一体型粘着センサアレイ。
【請求項４】
前記第１のインジケータが、設置基準が満足されたときに前記第２の表示の第１のバージョンをもたらし、前記設置基準が満足されないときに前記第２の表示の第２のバージョンをもたらすように構成される、請求項３に記載の一体型粘着センサアレイ。
【請求項５】
前記第２の表示の前記第１のバージョンが緑のディスプレイであり、前記第２の表示の前記第２のバージョンが赤のディスプレイである、請求項４に記載の一体型粘着センサアレイ。
【請求項６】
前記ドッキングエリアが、前記一体型センサアレイが不規則な輪郭を有する表面に付着されることを可能にするように構成された、前記フレキシブル基板および前記フレキシブル一体型レイヤの突出部上に配置される、請求項１に記載の一体型粘着センサアレイ。
【請求項７】
前記突出部が、断裂に耐えるように、前記着脱式センサポッドを前記ドッキングエリアから取り外すことによって生成される力を分散するようにさらに構成される、請求項６に記載の一体型粘着センサアレイ。
【請求項８】
体の上の前記着脱式センサポッドの適切な設置に関する前記第１のインジケータ上にもたらされる前記第２の表示が、前記着脱式センサポッドの前記センサからの信号と容認可能なセンサ信号のしきい値とを比較することによってもたらされ、前記比較に基づいて前記センサ信号が前記しきい値を満足するときに前記第２の表示を生成するように、前記着脱式センサポッドが構成される、請求項３に記載の一体型粘着センサアレイ。
【請求項９】
前記着脱式センサポッドが第２のインジケータをさらに備え、前記着脱式センサポッドが、体の上の前記着脱式センサポッドの適切設置に関する前記第２のインジケータを介する第３の表示を、
前記体に対する前記着脱式センサポッドの現在位置を決定することと、
前記体に対する前記着脱式センサポッドの前記現在位置と前記着脱式センサポッドに対する適切な設置位置とを比較することと、
前記着脱式センサポッドの前記現在位置が、前記着脱式センサポッドに対する前記適切な設置位置と比較して遜色がないかどうかに基づいて、前記第２のインジケータを介して前記第３の表示をもたらすこととによってもたらすように構成される、請求項１に記載の一体型粘着センサアレイ。
【請求項１０】
センサハブおよび着脱式センサポッドを含む一体型粘着センサアレイを使用して物理的または生理的パラメータを測定する方法であって、
前記センサハブとワイヤレス受信機との間に第１の通信リンクを確立するステップと、
前記一体型粘着センサアレイを体に取り付けるステップと、
前記着脱式センサポッドと前記センサハブとの間に第２の通信リンクを確立するステップと、
前記着脱式センサポッドによって物理的または生理的パラメータを感知するステップと、
前記第２の通信リンクを介して前記着脱式センサポッドから前記センサハブに前記物理的または生理的パラメータのセンサデータを送信するステップと、
前記第１の通信リンクを介して前記センサハブから前記受信機に前記センサデータを送信するステップとを含む、方法。
【請求項１１】
前記センサハブと前記ワイヤレス受信機との間の前記第１の通信リンクの確立を示す第１の表示を生成するステップをさらに含む、請求項１０に記載の方法。
【請求項１２】
前記着脱式センサポッドが前記一体型粘着センサアレイに取り付けられているときに、前記第２の通信リンクがワイヤード通信リンクを含み、前記方法が、
前記着脱式センサポッドが前記一体型粘着センサアレイから分離されることに応答して前記着脱式センサポッドと前記センサハブとの間に、ワイヤレス通信リンクである第３の通信リンクを確立するステップと、
前記着脱式センサポッドが前記一体型粘着センサアレイから分離されているときに、前記第３の通信リンクを介して前記着脱式センサポッドから前記センサハブに前記物理的または生理的パラメータのセンサデータを送信するステップとをさらに含む、請求項１１に記載の方法。
【請求項１３】
前記着脱式センサポッドが、前記一体型粘着センサアレイから分離されることに応答して、前記体の上の前記着脱式センサポッドの位置が、前記物理的または生理的パラメータを測定するのに適切であるかどうかを決定するステップと、
前記体の上の前記着脱式センサポッドの前記位置が、前記物理的または生理的パラメータを測定するのに適切であるかどうかに関する第２の表示を生成するステップとをさらに含む、請求項１２に記載の方法。
【請求項１４】
前記体の上の前記着脱式センサポッドの位置が、前記物理的または生理的パラメータを測定するのに適切であるかどうかを決定するステップが、
前記着脱式センサポッド上のセンサからの信号と容認可能なセンサ信号のしきい値とを比較するステップと、
前記比較に基づいて前記センサ信号が容認可能なセンサ信号の前記しきい値を満足することに応答して、前記位置が適切であるものと決定するステップとを含む、請求項１３に記載の方法。
【請求項１５】
前記体の上の前記着脱式センサポッドの位置が、前記物理的または生理的パラメータを測定するのに適切であるかどうかを決定するステップが、
前記体に対する前記着脱式センサポッドの現在位置を決定するステップと、
前記体に対する前記着脱式センサポッドの前記現在位置と前記着脱式センサポッドに対する適切な設置位置とを比較するステップと、
前記着脱式センサポッドの前記現在位置が、前記着脱式センサポッドに対する前記適切な設置位置と比較して遜色がないことに応答して、前記位置が適切であるものと決定するステップとを含む、請求項１３に記載の方法。
【請求項１６】
前記体の上の前記着脱式センサポッドの前記位置が、前記物理的または生理的パラメータを測定するのに適切であるかどうかに関する第２の表示を生成するステップが、
前記着脱式センサポッドの前記現在位置が、前記適切な設置位置と比較して遜色がないものと決定することに応答して、前記第２の表示を生成するステップと、
前記着脱式センサポッドの前記現在位置が、前記適切な設置位置と比較して遜色があるものと決定することに応答して、前記第２の表示と異なる第３の表示を生成するステップとを含む、請求項１５に記載の方法。
【請求項１７】
前記第１の表示、前記第２の表示および前記第３の表示が、カラーディスプレイ表示、聴覚的表示、および英数字ディスプレイ表示のうちの１つまたは複数を含む、請求項１６に記載の方法。
【請求項１８】
体の物理的または生理的パラメータを測定するための一体型粘着センサアレイであって、
センサハブと、
センサポッドと、
前記センサハブと受信機との間に第１の通信リンクを確立するための手段と、
前記一体型粘着センサアレイを体に取り付けるための手段と、
前記着脱式センサポッドと前記センサハブとの間に第２の通信リンクを確立するための手段と、
前記着脱式センサポッドによって物理的または生理的パラメータを感知するための手段と、
前記第２の通信リンクを介して前記着脱式センサポッドから前記センサハブに前記物理的または生理的パラメータのセンサデータを送信するための手段と、
前記第１の通信リンクを介して前記センサハブから前記ワイヤレス受信機に前記物理的または生理的パラメータの前記センサデータを送信するための手段とを含む、一体型粘着センサアレイ。
【請求項１９】
前記センサハブと前記ワイヤレス受信機との間の前記第１の通信リンクの確立の第１の表示を生成するための手段をさらに含む、請求項１８に記載の一体型粘着センサアレイ。
【請求項２０】
前記着脱式センサポッドが前記一体型粘着センサアレイに取り付けられているときに、前記第２の通信リンクがワイヤード通信リンクを含み、前記一体型粘着センサアレイが、
前記着脱式センサポッドが前記一体型粘着センサアレイから分離されることに応答して前記着脱式センサポッドと前記センサハブとの間に、ワイヤレス通信リンクを含む第３の通信リンクを確立するための手段と、
前記着脱式センサポッドが前記一体型粘着センサアレイから分離されているときに、前記第３の通信リンクを介して前記着脱式センサポッドから前記センサハブに前記物理的または生理的パラメータのセンサデータを送信するための手段とをさらに含む、請求項１９に記載の一体型粘着センサアレイ。
【請求項２１】
前記着脱式センサポッドが、前記一体型粘着センサアレイから分離されることに応答して、前記体の上の前記着脱式センサポッドの位置が、前記物理的または生理的パラメータを測定するのに適切であるかどうかを決定するための手段と、
前記体の上の前記着脱式センサポッドの前記位置が、前記物理的または生理的パラメータを測定するのに適切であるかどうかに関する第２の表示を生成するための手段とをさらに含む、請求項２０に記載の一体型粘着センサアレイ。
【請求項２２】
前記体の上の前記着脱式センサポッドの位置が、前記物理的または生理的パラメータを測定するのに適切であるかどうかを決定するための手段が、
前記着脱式センサポッドに関連するセンサからの信号と容認可能なセンサ信号のしきい値とを比較するための手段と、
前記着脱式センサポッドに関連する前記センサからの前記信号が、容認可能なセンサ信号の前記しきい値を満足することに応答して、前記体の上の前記着脱式センサポッドの前記位置が適切であるものと決定するための手段とを含む、請求項２１に記載の一体型粘着センサアレイ。
【請求項２３】
前記体の上の前記着脱式センサポッドの位置が、前記物理的または生理的パラメータを測定するのに適切であるかどうかを決定するための手段が、
前記体に対する前記着脱式センサポッドの現在位置を決定するための手段と、
前記体に対する前記着脱式センサポッドの前記現在位置と前記着脱式センサポッドに対する適切な設置位置とを比較するための手段と、
前記着脱式センサポッドの前記現在位置が、前記着脱式センサポッドに対する前記適切な設置位置と比較して遜色がないことに応答して、前記体の上の前記着脱式センサポッドの前記位置が適切であるものと決定するための手段とを含む、請求項２１に記載の一体型粘着センサアレイ。
【請求項２４】
前記体の上の前記着脱式センサポッドの前記位置が、前記物理的または生理的パラメータを測定するのに適切であるかどうかに関する第２の表示を生成するための手段が、
前記着脱式センサポッドの前記現在位置が、前記適切な設置位置と比較して遜色がないものと、決定するための前記手段によって決定することに応答して、前記第２の表示を生成するための手段と、
前記着脱式センサポッドの前記現在位置が、前記適切な設置位置と比較して遜色があるものと決定することに応答して、前記第２の表示と異なる第３の表示を生成するための手段とを含む、請求項２３に記載の一体型粘着センサアレイ。
【請求項２５】
前記第１の表示、前記第２の表示および前記第３の表示が、カラーディスプレイ表示、聴覚的表示、および英数字ディスプレイ表示のうちの１つまたは複数を含む、請求項２４に記載の一体型粘着センサアレイ。
【発明の詳細な説明】
【背景技術】
【０００１】
粘着性の「剥離式」センサが、生体モニタリングおよび生物医学モニタリングで普及している。例として、ワイヤレス粘着センサは、患者の体の一部に貼付され、様々な生体特徴量を測定し得る。ワイヤレスセンサはある程度の便益を提供するが、課題が残されている。
【０００２】
ウェアラブルセンサを装着することにおける課題には、信頼性、接続品質、データセキュリティ、完全性および耐障害性、多様なセンサ技術の統合、リアルタイム測定の遅延管理、快適性、寿命、ならびに他の課題が含まれる。これらの課題を考慮すると、既存のセンサおよびセンサネットワークに対する不利点は非常に多い。既存のワイヤレスセンサは大きく、限定された寿命と限定されたバッテリー寿命とを有し、所望のパラメータのすべてをモニタするとは限らない場合がある。粘着センサは着用者にとって不快であり得るので、大きいセンササイズは不利である場合がある。さらに、複数の大きいセンサは、着用者にとって扱いにくくなる場合がある。複数の生体特徴量をモニタする場合、各量に対して様々な異質のセンサが必要とされることがあり、各センサが、外部サーバとセキュアで高信頼の通信を確立して維持する役割を果たす。その上、生体特徴量のためのセンサは、異なる供給業者からの部品調達を必要とする場合がある。その結果、異なるセンサに対する別個のネットワークサポートが必要となり、コストと複雑性とを高める場合がある。
【発明の概要】
【課題を解決するための手段】
【０００３】
様々な実施形態は、体の１つまたは複数の物理的または生理的パラメータを測定することを対象とする方法およびデバイスを提供する。実施形態のデバイスは、パッチと、パッチに結合されたセンサハブと、パッチに着脱可能に結合された少なくとも１つの着脱式センサポッドとを含み得る。いくつかの実施形態では、複数の着脱式センサポッドが、パッチに結合され得る。パッチは、フレキシブル粘着基板と、フレキシブル粘着基板と一体化されたフレキシブルレイヤとを含み得る。フレキシブルレイヤは、センサハブと、センサハブに結合されたセンサハブ配線とをサポートし得る。パッチは、着脱式センサポッドが着脱可能に結合され得る少なくとも１つのドッキングエリアをさらに含み得る。いくつかの実施形態では、複数のドッキングエリアが、着脱式センサポッドを収容するために設けられる場合がある。粘着性ドッキングエリアであり得るドッキングエリアは、センサハブ配線に結合されたコネクタを含み得る。センサハブは、ワイヤレストランシーバと、第１のエネルギー貯蔵要素と、ワイヤレストランシーバ、センサハブ配線、および第１のエネルギー貯蔵要素に結合されたプロセッサとを含み得る。プロセッサは、センサハブが受信機の範囲内にあるときに、受信機と第１のワイヤレス通信リンクを確立することを含み得る動作を実施するように、プロセッサ実行可能命令を用いて構成され得る。
【０００４】
様々な実施形態では、着脱式センサポッドは、センサと、第２のエネルギー貯蔵要素と、センサおよび第２のエネルギー貯蔵要素に結合された送信機とを含み得る。着脱式センサポッドがドッキングエリアに取り付けられているときに、着脱式センサポッドは、パッチ上の電気的接続を介してセンサハブによって結合され、給電されるように構成され得る。着脱式センサポッドがドッキングエリアから分離されているときに、着脱式センサポッドは、着脱式センサポッドの送信機とセンサハブのワイヤレストランシーバとの間に確立された第２のワイヤレス通信リンクを介してセンサハブにセンサデータを送信し得る。
【０００５】
さらなる実施形態では、センサハブは、プロセッサに結合された第１のインジケータをさらに含み得、プロセッサは、第１のワイヤレス通信リンクが受信機と確立されているときに第１のインジケータ上に第１の表示をもたらすことを含む動作を実施するように、プロセッサ実行可能命令を用いて構成され得る。プロセッサは、着脱式センサポッドがドッキングエリアから分離されているときに、体の上の着脱式センサポッドの適切な設置に関する第１のインジケータ上の第２の表示、たとえば、設置基準が満足されたときの第２の表示の第１のバージョン（たとえば、緑）および設置基準が満足されないときの第２の表示の第２のバージョン（たとえば、赤）、を提供することをさらに含み得る動作を実施するように、プロセッサ実行可能命令を用いて構成され得る。
【０００６】
さらなる実施形態では、ドッキングエリアは、フレキシブル基板およびフレキシブル一体型レイヤの突出部上に配置され得、突出部は、一体型センサアレイが不規則な輪郭を有する表面に付着されることを可能にするように構成され得る。いくつかの実施形態では、複数の突出部が、複数のセンサポッドを収容するためにドッキングエリアとしてパッチ上に設けられ得る。突出部は、断裂（ｔｅａｒｉｎｇ）に耐えるように、着脱式センサポッドをドッキングエリアから取り外すことによって生成される力を分散するようにさらに構成され得る。
【０００７】
一実施形態では、着脱式センサポッド上のプロセッサは、体の上の着脱式センサポッドの適切な設置に関する第２の表示が、センサからの信号と容認可能なセンサ信号のしきい値とを比較することによって決定され、比較に基づいてセンサ信号がしきい値を満足するときに第２の表示を生成するような動作を実施するように、プロセッサ実行可能命令を用いて構成され得る。別の実施形態では、着脱式センサポッドは、体に対する着脱式センサポッドの現在位置を決定することと、体に対する着脱式センサポッドの現在位置と着脱式センサポッドの適切な設置位置とを比較することと、着脱式センサポッドの現在位置が着脱式センサポッドに対する適切な設置位置と比較して遜色がないかどうかに基づいて第２のインジケータを介して第３の表示をもたらすこととによって、体の上の着脱式センサポッドの適切な設置に関する第２のインジケータを介する第３の表示をもたらすための動作を実施するようにプロセッサ実行可能命令を用いて構成される、第２のインジケータとプロセッサとをさらに含み得る。
【０００８】
センサハブと着脱式センサポッドとを含む一体型粘着センサアレイを使用して物理的または生理的パラメータを測定する一実施形態の方法は、センサハブとワイヤレス受信機との間に第１の通信リンクを確立するステップと、一体型粘着センサアレイを体に取り付けるステップと、着脱式センサポッドとセンサハブとの間に第２に第２の通信リンクを確立するステップと、着脱式センサポッドによって物理的または生理的パラメータを感知するステップと、第２の通信リンクを介して着脱式センサポッドからセンサハブに物理的または生理的パラメータのセンサデータを送信するステップとを含み得る。一実施形態の方法は、第１の通信リンクを介してセンサハブから受信機にセンサデータを送信するステップをさらに含み得る。一実施形態の方法は、センサハブとワイヤレス受信機との間の第１のワイヤレス接続の確立を示す第１の表示を生成するステップをさらに含み得る。一実施形態では、第２の通信リンクは、着脱式センサポッドが一体型粘着センサアレイに取り付けられているときにはワイヤード通信リンクであってよく、または着脱式センサポッドが一体型粘着センサアレイから取り外されることに応答して着脱式センサポッドとセンサハブとの間に確立されたワイヤレス通信リンクであってよい。
【０００９】
さらなる実施形態の方法は、着脱式センサポッドが一体型粘着センサアレイから取り外されているときに、体の上の着脱式センサポッドの位置が物理的または生理的パラメータを測定するために適切であるかどうかを決定するステップと、体の上の着脱式センサポッドの位置が適切であるかどうかを示す第２の表示を生成するステップとを含み得る。一実施形態の方法では、体の上の着脱式センサポッドの位置が物理的または生理的パラメータを測定するために適切であるかどうかを決定するステップは、着脱式センサポッド上のセンサからの信号と容認可能なセンサ信号のしきい値とを比較するステップと、比較に基づいてセンサ信号がしきい値を満足することに応答して位置が適切であるものと決定するステップとを含み得る。一実施形態の方法では、体の上の着脱式センサポッドの位置が物理的または生理的パラメータを測定するために適切であるかどうかを決定するステップは、体に対する着脱式センサポッドの現在位置を決定するステップと、体に対する着脱式センサポッドの現在位置と着脱式センサポッドに対する適切な設置位置とを比較するステップと、着脱式センサポッドの現在位置が着脱式センサポッドに対する適切な設置位置と比較して遜色がないことに応答して位置が適切であるものと決定するステップとを含み得る。
【００１０】
様々な実施形態では、第１の表示、第２の表示および第３の表示は、カラーディスプレイ表示、聴覚的表示、および英数字ディスプレイ表示のうちの１つまたは複数であってよい。
【００１１】
さらなる実施形態は、上記で説明した方法の機能を実施するための手段を有する物理的または生理的パラメータを測定するための装置を含む。
【００１２】
本明細書に組み込まれ本明細書の一部を構成する添付の図面は、上で与えられた全般的な説明および以下で与えられる詳細な説明とともに、本発明の例示的な実施形態を示し、本発明の特徴を説明する役割を果たす。
【図面の簡単な説明】
【００１３】
【図１Ａ】中心ハブと取り外し可能なセンサノードとを含む一実施形態の一体型粘着センサアレイを示すブロック図である。
【図１Ｂ】中心ハブと取り外し可能なセンサノードと取り外されたノードとを含む一実施形態の一体型粘着センサアレイを示す図である。
【図２Ａ】モバイルコンピューティングデバイスとペアを組んで表示をもたらす一実施形態のセンサを示す図である。
【図２Ｂ】メインセンサユニットまたはメインパッチから取り外され、ハブとペアになり、体の上に配置されて表示をもたらす、一実施形態の取り外し可能なセンサを示す図である。
【図２Ｃ】モバイルコンピューティングデバイス、パーソナルネットワーク、パブリックネットワーク（たとえば、インターネット）、およびプライベートネットワーク（たとえば、医療ネットワーク）を含む、取り外し可能なセンサノードを有するセンサを実装するのに適切な一実施形態のシステムを示す通信システム図である。
【図３Ａ】一実施形態のセンサメインボディからの取り外し可能なセンサノードの取り外しを示す図である。
【図３Ｂ】一実施形態の取り外し可能なセンサノードを取り外しに対する取り外し力の分散経路を示す図である。
【図３Ｃ】取り外し可能なセンサノードの代替実施形態を示す図である。
【図３Ｄ】取り外し可能なセンサノードの代替実施形態を示す図である。
【図３Ｅ】取り外し可能なセンサノードの代替実施形態を示す図である。
【図３Ｆ】取り外し可能なセンサノードの代替実施形態を示す図である。
【図３Ｇ】取り外し可能なセンサノードの代替実施形態を示す図である。
【図４Ａ】感知所定位置構成に対する、取り外し可能なセンサノードを有するセンサと受信機との例示的なワイヤレスおよびワイヤード相互接続を示す構成要素ブロック図である。
【図４Ｂ】取り外し可能なノードが取り外された構成に対する、取り外し可能なセンサノードを有するセンサと受信機との例示的なワイヤレスおよびワイヤード相互接続を示す構成要素ブロック図である。
【図４Ｃ】一実施形態のセンサノードの構成要素ブロック図である。
【図４Ｄ】一実施形態のセンサハブの構成要素ブロック図である。
【図５】センサハブ上にあるかまたは取り外されて配置されたセンサノードを用いて量を感知する一実施形態の方法を示すプロセスフロー図である。
【図６】様々な実施形態とともに使用するのに適した例示的なモバイルデバイスを示す構成要素ブロック図である。
【図７】様々な実施形態とともに使用するのに適した例示的なコンピューティングデバイスを示す図である。
【発明を実施するための形態】
【００１４】
様々な実施形態について、添付図面を参照して詳細に説明する。可能な場合には常に、同じ部分または同様の部分を指すために、図面全体を通じて同じ参照番号が使用される。特定の例および実装形態への言及は、説明を目的とし、本発明の範囲または特許請求の範囲を限定するものではない。
【００１５】
本明細書で使用する「デバイス」、「コンピューティングデバイス」、「モバイルコンピューティングデバイス」という用語は、携帯電話、スマートフォン、パーソナルまたはモバイルマルチメディアプレーヤ、携帯情報端末（ＰＤＡ）、ラップトップコンピュータ、デスクトップコンピュータ、タブレットコンピュータ、スマートブック、パームトップコンピュータ、ワイヤレス電子メール受信機、マルチメディアインターネット対応携帯電話、テレビジョン、スマートＴＶ、スマートＴＶセットトップバディボックス、一体型スマートＴＶ、ストリーミングメディアプレーヤ、スマートケーブルボックス、セットトップボックス、デジタルビデオレコーダ（ＤＶＲ）、デジタルメディアプレーヤ、および、プログラマブルプロセッサを含む同様のパーソナル電子デバイスのうちの任意の１つまたはすべてを指す場合がある。
【００１６】
本明細書で使用する「アクセスポイント」という用語は、ネットワークワイヤレスアクセスポイント、ワイヤレスルータ、ワイヤレスアクセスポイントリピータ、ワイヤレスアクセスポイントレンジエクステンダ、ブリッジ、これらのデバイスまたは他のデバイスの組合せのいずれかを指し、それらは、クライアントデバイスに対して、（たとえば、８０２．１１プロトコルの様々なバージョンの下での）ＷｉＦｉプロトコルまたは他のプロトコルなど、ワイヤレスプロトコルに従って動作するネットワークへのアクセスを提供し得る。アクセスポイントは、本明細書では、ワイヤレスであり、ホームまたはプライベートのローカルエリアネットワークなど、ローカルエリアネットワーク（ＬＡＮ）、ワイヤレスＬＡＮ（ＷＬＡＮ）へのワイヤレスアクセスを提供するものとして説明される。しかしながら、アクセスポイントは、さらに、ワイヤード接続をサポートする能力を有し得、医療サービスプロバイダネットワークおよび他の関連ネットワークを含めて、プライベートネットワーク、インターネットなどのパブリックネットワーク、またはパブリックネットワークとプライベートネットワークの組合せへのさらなるアクセスを提供するために、ワイヤード接続を介してサービスプロバイダに結合され得る。
【００１７】
本明細書で使用する「センサ」という用語は、１つまたは複数の検出可能な物理的現象または物理量を感知または測定し、測定値または感知された状態、条件もしくは量を示す信号を生成するデバイスを指す。センサによって生成された信号は、信号とその根拠を成す物理量との間の相関に基づいて１つまたは複数の検出可能な物理量を測定するために処理され得る。センサの非限定的な例には、温度センサ、脈拍センサ、電界センサ（たとえば、脳波計センサ）、湿度センサ、流体流量センサ、磁気センサ、圧電センサ、圧力センサ、光学センサ、化学センサ（たとえば、血糖値センサ）、および他の生物医学センサが含まれる。
【００１８】
本明細書で使用する「環境発電（ｅｎｅｒｇｙ  ｈａｒｖｅｓｔｉｎｇ）」という用語は、多様なエネルギー源からのエネルギーを、センサ動作に給電するなど、電気回路に給電するために使用され得る形態に変換する機構を指す。環境発電要素によって利用され得るエネルギー源の非限定的な例には、患者の動き、熱（たとえば、患者の皮膚と空気との間の温度差）、周囲光（たとえば、フォトセルを介して）が含まれる。以下で説明するように、環境発電デバイスによって生成されたエネルギーは、センサ回路および他のセンサ構成要素、たとえばモニタリングデバイスに情報を送信し、そこから情報を受信するための送信機もしくはトランシーバ、またはセンサに関連する他のデバイスに給電するために使用され得る。
【００１９】
様々な実施形態は、メイン粘着センサパッチに取り付けられた１つまたは複数の取り外し可能な（たとえば、剥離式または場合によっては着脱式）センサノードまたはポッドを有する中心ハブを有する一体型粘着センサアレイを提供することによって、提案されるワイヤレス粘着生物医学センサの欠点を克服する。着脱式センサポッドは、センサハブユニットを有するメイン粘着センサベース上のそれらの元の「ドッキングされた（ｄｏｃｋｅｄ）」位置における量を感知して、センサハブへのワイヤード電気接続を介してセンサハブと通信するように構成され得る。着脱式センサポッドのうちの１つまたは複数はまた、取り外されて、人間または動物の患者の体などの体の上の、測定される物理量（たとえば、温度、脈拍数、Ｂ／Ｐ、電界、など）に関連する特定の位置に設置され得る。体の上の特定の位置に着脱式センサポッドを配置することによって、患者の物理的量または生理的量など、体の物理的パラメータの改善または強化された測定値が取得され得る。様々な実施形態では、着脱式センサポッドの一部または全部は、異なる量を測定するために適応可能であるように構成され得るか、あるいは着脱式センサポッドは、特定の物理的パラメータまたは物理量を測定するように構成され得る。
【００２０】
本明細書で使用する「センサハブ」という用語は、アレイからの着脱式センサポッドから情報を受信（および場合によっては着脱式センサポッドに情報を送信）し、受信機デバイスまたはアクセスポイントへの通信中継として働く場合がある一体型粘着センサアレイの一部を指す。センサハブは、着脱式センサポッドから取得されたセンサデータを含む情報を、ワイヤードまたはワイヤレス通信リンクが転送して、受信機またはアクセスポイントと通信し得る。センサハブはまた、受信機から情報を受信し得る。センサハブはまた、センサとしても機能し得る。本明細書で使用する「着脱式センサポッド」という用語は、一体型粘着センサアレイに着脱可能に結合され得るセンサユニットを指す。着脱式センサポッドは、１つまたは複数の量を感知し、感知された１つまたは複数の量に関連する情報をワイヤードまたはワイヤレス接続を介してセンサハブに伝達するように構成され得る。
【００２１】
センサハブからデータを受信する受信機は、モバイルコンピューティングデバイス、アクセスポイント、または適切なワイヤレス通信回路を用いて構成される他のコンピューティングデバイスであってよい。
【００２２】
様々な実施形態では、着脱式センサポッドは、一体型粘着センサアレイから取り外されているときに、センサハブとワイヤレス通信リンクを確立し得る。着脱式センサポッドは、センサハブを含むメインパッチに取り付けられている間にワイヤード接続を介して、およびメインパッチから分離されて体の上に設置されているときにワイヤレスリンクを介して、センサデータをセンサハブに伝達するように構成され得る。
【００２３】
センサハブは、発光ダイオード（ＬＥＤ）もしくは他の視覚的インジケータまたは聴覚的インジケータなどのインジケータを介して表示をもたらし得る。センサハブのそのようなディスプレイまたは表示の状態は、信頼できるセンサの読みを取得するために、センサハブが受信機と正常にペアを組んでいること、および／または体の上に適切に配置されて取り付けられていることの確認を提供するために使用され得る。センサハブインジケータの表示状態は、可能ならば着脱式センサポッドインジケータとともに、同じく、センサハブが、剥離され、取り外されるかまたは分離されて再配置された着脱式センサポッドからセンサデータを受信していることの確認を提供し得る。
【００２４】
様々な実施形態では、着脱式センサポッドはまた、ＬＥＤまたは色が変化する要素などのステータスインジケータを含み得る。そのようなステータスインジケータは、たとえば、ユーザが、体の上の着脱式センサポッドの適切な設置を示すために、着脱式センサポッドを構成して設置することを可能にすることの表示を提供し得る。たとえば、特定の着脱式センサポッドが患者の心拍を測定するように構成されている場合、着脱式センサポッドを取り外して、心拍を測定するために特に最適な位置に設置することは、センサハブインジケータによって確認され得る。たとえば、心拍用着脱式センサポッドは、心拍が検出されているときにＬＥＤを照明するか、または色を変更することができる。いくつかの実施形態では、着脱式センサポッドインジケータは、着脱式センサポッドの設置に関して、ユーザにさらなるフィードバックと確認とを提供し得る。
【００２５】
一実施形態では、メインセンサユニット（本明細書ではメインパッチとも呼ばれる）は、最初に、着脱式センサポッドが一体型粘着センサアレイのメインパッチに取り付けられているドッキングされた位置にある着脱式センサポッドによって構成され得る。着脱式センサポッドは、患者もしくは着用者などの体の皮膚、または他の傷つきやすい表面ではなくメインセンサユニットから取り外され、剥離され、または分離されるように構成され得る。メインセンサユニットから剥離または分離されるように着脱式センサポッドを構成することによって、生じ得る不快感または皮膚もしくは表面の断裂が回避され得る。パッチ自体またはその構成要素の断裂もまた回避され得る。メインセンサユニットまたはメインパッチは、着脱式センサポッド、電源、メモリ、およびコントローラまたはプロセッサなどの処理機能へのワイヤード電気接続を有する中央通信センサハブを含み得る。センサハブは、着脱式センサポッドがメインセンサユニットから取り外されているときに、着脱式センサポッドとワイヤレスに通信し得る。したがって、一体型センサアセンブリおよび／またはセンサハブは、センサハブと、モバイルデバイスもしくはＷｉＦｉなどの固定ワイヤレスアクセスポイントのいずれかとの間でデータを通信するための無線モジュールを含み得る。
【００２６】
着脱式センサポッドの各々はまた、電源または電力貯蔵要素（たとえば、バッテリー）、メモリ、プロセッサ、および無線モジュールを含み得る。着脱式センサポッドの無線モジュールは、着脱式センサポッドが分離されてセンサハブ無線モジュールにセンサデータを伝達するときに使用され得る。
【００２７】
メインセンサユニットまたはメインパッチは、メインセンサユニットの底面に付着され得る粘着物の輪状または円形の部分など、粘着基板を含み得る。粘着部は、患者もしくは着用者の皮膚、または他の表面などの体にメインセンサユニットを確実に付き得る。
【００２８】
メインセンサユニットの形状は、着脱式センサポッドを収容し、平坦な表面、または患者の様々な体の部分もしくは通常取り付けの難しさを生じ得る物体に対応するような不規則な形状および輪郭を有する表面に、メインセンサユニットが取り付けられることを可能にする複数の隆起部を含み得る。「不規則な形状」または「輪郭」によって、概して平坦ではなく、体または物体に関連する湾曲したまたは不規則な表面を含み得る表面に言及され得る。複数の隆起部は、さらに、センサユニットが取り付けられるときのしわまたは曲がりを最小化し得る。
【００２９】
メインセンサユニットは、メインユニットが容易に取り外され得るように、把持ポイントを含み得る。着脱式センサポッドの各々は、着脱式センサポッドが容易に取り外されるかまたは分離されるように構成された隆起タブまたは把持ポイントを含み得る。着脱式センサポッド、およびメインセンサユニットの形状は、隆起タブによって着脱式センサポッドを取り外すときにメインパッチの断裂を回避するために、引っ張り力をデバイス全体に分散させるように構成され得る。いくつかの実施形態では、着脱式センサポッドは、取り外しまたは分離の後で再び取り付けられ得る。
【００３０】
様々な実施形態では、着脱式センサポッドの各々は、温度、血圧、電気生理学信号（たとえば、心電図（ＥＫＧ）および脳電図信号）、筋肉の動き、血液酸素化レベル、および他の物理的または生理的パラメータなど、異なる物理的または生理的パラメータを測定するように構成され得る。他の実施形態では、着脱式センサポッドの一部または全部は、同じ物理的または生理的パラメータを測定するように構成され得る。いくつかの例では、特定の位置において同じ測定量（たとえば、ＥＫＧ）に対して構成された複数の着脱式センサポッドの設置は、センサの読みの品質を改善し得る。着脱式センサポッドの一部または全部は、メインセンサユニットまたはメインパッチのセクションにドッキングされたままであってよく、着脱式センサポッドは、接点またはコネクタを通るワイヤード接続を介してセンサハブに読みをもたらすように機能し得る。センサハブは、接点またはコネクタを通して着脱式センサポッドへの電力接続を提供し得る。
【００３１】
着脱式センサポッドの一部または全部は、メインパッチから分離または剥離されて、体の特定の部分に設置され得る。着脱式センサポッドがメインセンサユニットまたはメインパッチおよびコネクタから分離されているとき、無線モジュールが、着脱式センサポッドに対するローカル電源または貯蔵要素と連動して活性化され得る。着脱式センサポッドは、センサハブとペアを組み、着脱式センサポッドまたはセンサハブのいずれかまたは両方における表示が、正常なペアリングを確認するためにもたらされ得る。着脱式センサポッドが体の上の最適な位置に設置されているときに、さらなる表示がもたらされ得る。着脱式センサポッドが、指定された物理的または生理的パラメータに関連する十分な測定値を取得するために少なくとも１つの位置に設置されるときに、さらなる表示が、同様にもたらされ得る。
【００３２】
上記で説明したように、着脱式センサポッドがメインセンサユニットまたはメインパッチから分離されているときに、ワイヤレス通信が、着脱式センサポッドとセンサハブとの間で活性化され得る。一実施形態では、着脱式センサポッドは、導電性の接点またはコネクタを介して着脱式センサポッドをセンサハブに電気的に接続し得るメインセンサユニットまたはメインパッチに再び取り付けられ得る。着脱式センサポッドが、コネクタを介してセンサハブに電気的に接続されると、センサハブへのワイヤレス通信リンクは、低電力のワイヤード通信リンクを選択して中断され得る。さらなる実施形態では、着脱式センサポッドは、同じ粘着基板上にドッキングされているときでさえも、センサハブとワイヤレスに通信し得る。
【００３３】
着脱式センサポッドは、メインセンサユニットまたはメインパッチに接続（または再接続）され得、かつセンサハブに関連する電源または電力源によって給電され得、電源は、着脱式センサポッドが再充電可能バッテリーによって給電される場合、着脱式センサポッド内のバッテリーを再充電することを含み得る。代替として、着脱式センサポッドは、バッテリー、環境発電要素（たとえば、フォトセル）、または他のエネルギー貯蔵デバイスなど、それ自体の電源によって給電され得る。いくつかの実施形態では、センサハブおよび着脱式センサポッドのうちの１つまたは複数は、環境発電または自己充電機構を介して給電され得る。
【００３４】
上記のように、センサハブおよび／または着脱式センサポッド上のインジケータは、センサハブと着脱式センサポッドとのペアリングおよび設置状態の表示または確認を表現し得る。ディスプレイは、２色ディスプレイなどの簡単なディスプレイであってよい。一実施形態では、色は、電気化学反応機構、エレクトロルミネセンス機構、プラズマディスプレイ機構、ＩＮＤＩＧＬＯ（登録商標）プラズマディスプレイ機構、ＬＥＤアレイ、フレキシブルディスプレイ、または他のディスプレイ機構を介して形成され得る。ディスプレイは、英数字ディスプレイ、または英数字と色の組合せディスプレイを提供するようにさらに構成され得る。代替または追加として、ディスプレイは、さらに、聴覚的出力、聴覚的表示、または聴覚的「ディスプレイ」を提供し得る。聴覚的表示は、ビープ音、バズ音、クリック音、または他の聴覚的表示もしくは一連の聴覚的表示を含み得る。表示は、振動または一連の振動を含む触知性であってよい。
【００３５】
一例として、センサデータの受信機として働くように構成されたモバイルコンピューティングデバイスまたはアクセスポイントの近くにメインセンサユニットが導かれたときに、メインセンサユニットがペアを組まれて活性化されると、それに応答して、インジケータが、１つの色から別の色に変化し得る。たとえば、インジケータは、接続が確立されていないことを示す赤から、センサハブとモバイル通信デバイスとが正常にペアになっていることを示す緑に変化し得る。代替として、英数字表示が、正常なペアリングまたは設置を示す言葉、コード、またはメッセージを表現する場合がある。
【００３６】
いくつかの実施形態では、センサハブおよび／または着脱式センサポッドは、インジケータを設けられていない。そうではなく、スマートフォンなどの受信機デバイスが、センサと連係して、通信リンクの品質、受信されているセンサデータの品質、センサが体の上に適正に設置されているかどうかの表示、および本明細書で説明する他の表示に関する情報の表現を受信機のディスプレイ上に提示するアプリケーションを用いて構成され得る。受信機デバイスによってもたらされる表示は、センサハブが受信機とペアを組まれていることおよび／またはセンサハブが着脱式センサポッドとペアを組まれていることの表示を含み得る。受信機デバイスによってもたらされる表示は、さらに、センサおよび／または着脱式センサポッドの好ましいまたは十分な設置に関するフィードバックを提供し得る。たとえば、受信機デバイスのディスプレイ上に提示される表示は、センサが患者の体の上の不適切なまたは好適でない位置の上に配置されているときと比較して、センサが体の上の適切な位置に設置されているときに、異なる色または表示を含み得る。受信機デバイスのディスプレイ上に提示される表示は、着脱式センサポッドがドッキングステーションから分離されて特定の位置に設置されるとき、着脱式センサポッドの設置に対するフィードバックを提供する表示を含み得る。
【００３７】
センサハブおよび着脱式センサポッド上の１つまたは複数のインジケータは、体の上の位置および体への接続の適切性を評価するように構成されたプロセッサによって活性化され得る。これを成し遂げるために、プロセッサは、適切なセンサ信号が受信されていることを確認するために、ワイヤレス座標参照系からの信号またはセンサからのサンプル信号など、体に対するセンサハブまたは着脱式センサポッドの位置決めに関する情報を受信し得る。体の座標参照系からの情報を使用する実施形態では、センサハブまたは着脱式センサポッド内のプロセッサは、体に対するその決定された座標とセンサの設置に適した座標のデータベースとを比較し得る。たとえば、メインセンサユニットまたはメインパッチが、体の異なる部分の上に保持されているとき、センサユニットの位置が、センサ（すなわち、センサハブまたは着脱式センサポッド）によって測定される物理的または生理的パラメータを感知するのに正しくない設置の結果もたらされる場合、インジケータは、赤または緑の表示などの表示をもたらし得る。他の実施形態では、プロセッサは、それが体に貼付されたときにセンサデータをサンプリングすることと、そのセンサデータと様々な容認可能性しきい値（たとえば、感知された物理的または生理的パラメータの大きさ、雑音レベル、またはセンサデータパターン）とを比較することと、センサデータがそのようなしきい値を満足するときに緑の色または光などの容認可能な表示をもたらすことと、センサデータがそのようなしきい値を満足しないときに赤の色または光などの容認不可の表示をもたらすこととを行い得る。このフィードバックインジケータは、臨床医がセンサハブおよび／または着脱式センサポッドを設置するのを援助し得る。そのようなインジケータは、センサハブと着脱式センサポッドの両方に含まれてよく、体の上の各センサ位置に無関係に機能し得る。
【００３８】
一実施形態では、インジケータは、容認可能性の聴覚的表示をもたらすか、あるいはセンサ位置が正しくないか、センサが物理的もしくは生理的パラメータを検出していないか、またはデータ接続が利用不可であるときに警報をもたらすように構成され得る。
【００３９】
さらなる実施形態では、センサハブは、測定された物理的もしくは生理的パラメータ（たとえば、温度または心拍数）に対する数値、またはアクションが臨床医に求められていることを示すメッセージなど、ユーザが読み取れる方法でセンサデータを提示するように構成されたディスプレイを含み得る。たとえば、表現されたメッセージは、臨床医が、センサハブを取り換えるべきである（たとえば、バッテリーが低下しているかまたは構成要素が機能不全である）こと、薬剤を投与すべきであること、またはさらなる指示のためにおそらくユーザのモバイルデバイス上で実行する医学的適用例を参照すべきであることを示し得る。
【００４０】
一体型粘着センサアレイ１００の一実施形態を、図１Ａに示す。図示の実施形態では、一体型粘着センサアレイ１００は、センサハブ１３０と複数の着脱式センサポッド１２０とが配置されているメインセンサユニットまたはメインパッチ１１０を含み得る。メインセンサユニットまたはメインパッチ１１０は、基盤（ｆｏｕｎｄａｔｉｏｎ）レイヤまたは基板レイヤ１１０ａと、メインセンサユニットまたはメインパッチ１１０を体に粘着させるように構成された粘着レイヤ１１０ｂとを有し得る。基板レイヤ１１０ａは、アプリケーションに応じたフレキシビリティの程度を有する材料から構成され得る。フレキシビリティの程度は、構造的サポートを与える能力を維持しながら、メインセンサユニットまたはメインパッチ１１０を湾曲した体の輪郭に貼付する容易さとのバランスを取り得る。メインボディは、複数の着脱式センサポッド１２０を収容し得、着脱式センサポッド１２０は、同様に、メインセンサユニットまたはメインパッチ１１０から容易に取り外され、体の湾曲した輪郭上に設置され、体から取り外され得るように、ある程度のフレキシビリティを有し得る。メインセンサユニットまたはメインパッチ１１０および着脱式センサポッド１２０の相対的なフレキシビリティは、メインセンサユニットまたはメインパッチ１１０が湾曲した輪郭または物体に貼付されるように曲げられるときに、着脱式センサポッド１２０が対応して曲がることができるように構成され得る。
【００４１】
メインセンサユニットまたはメインパッチ１１０の粘着レイヤ１１０ｂは、粘着物を含む別個のレイヤとして、または基板レイヤ１１０ａに貼付された粘着レイヤとして構成され得る。
【００４２】
着脱式センサポッド１２０はまた、粘着物または粘着レイヤ１２０ｂがその上に構成され得る基板レイヤ１２０ａを有し得る。着脱式センサポッド１２０の基板レイヤ１２０ａ上の粘着レイヤ１２０ｂは、同様に粘着物を有しても有さなくてもよいメインセンサユニットまたはメインパッチ１１０上のドッキングエリアに取り付け可能であり得る。代替として、着脱式センサポッド１２０は、着脱式センサポッド１２０が取り付けられるまで粘着レイヤ１２０ｂをカバーして保護する膜（図示せず）を有し得る。そのような保護膜は、ドッキングエリア内に存在する粘着物に取り付け可能であり得る。代替として、膜自体が、メインセンサユニットまたはメインパッチ１１０のドッキングエリアに取り付ける粘着物を有してもよい。膜が取り外されるときに、センサポッド１２０上の粘着物は、患者の皮膚など、体の表面に取り付けるために使用され得る。
【００４３】
上記で説明したように、着脱式センサポッド１２０の各々は、メインセンサユニットまたはメインパッチ１１０から取り外され、体の別の部分に貼付されるように構成され得る。図１Ｂは、メインセンサユニットまたはメインパッチ１１０から取り外され、センサハブ１３０とのワイヤレス通信リンク１２３が確立された、着脱式センサポッド１２０のうちの１つを示す。着脱式センサポッド１２０は、着脱式センサポッド１２０がメインセンサユニットまたはメインパッチ１１０上のドッキングエリア１２０ｃに取り付けられているときに、基板レイヤ１１０ａの上面上で１つまたは複数の電気的コネクタ１２１ｂと連係する粘着レイヤ１２０ｂの底面上の１つまたは複数の電気的コネクタ１２１ａを用いて構成され得る。そのような電気的コネクタ１２１ａは、個別の接触ストリップ、パッド、またはピンであってよい。電気的コネクタ１２１ａは、フレキシブルであり得るか、または少なくとも、着脱式センサポッド１２０をメインセンサユニットまたはメインパッチ１１０のドッキングエリア１２０ｃから取り外して貼付している間の屈曲に適合するように構成され得る。着脱式センサポッド１２０に対するドッキングエリア１２０ｃは、センサハブ１３０への直接の電気的接触をもたらすために着脱式センサポッドの電気的コネクタ１２１ａと接続する、対応する電気的コネクタ１２１ｂを用いて構成され得る。そのような電気的コネクタは、着脱式センサポッド１２０内のセンサに電力を供給するだけでなく、着脱式センサポッドからセンサハブ１３０にセンサデータを送信するためのワイヤード通信リンクも提供し得る。
【００４４】
着脱式センサポッド１２０がメインセンサユニットまたはメインパッチ１１０上のドッキングエリア１２０ｃに結合されているときに、一体型センサからのセンサデータは、電気的コネクタ１２１ａ、１２１ｂを介してセンサハブ１３０に伝達され得る。着脱式センサポッド１２０がメインセンサユニットまたはメインパッチ１１０のドッキングエリア１２０ｃから取り外されているときに、ワイヤレス通信リンク１２３が、着脱式センサポッド１２０内の無線モジュールとセンサハブ１３０の無線モジュールとの間で確立され得る。
【００４５】
メインセンサユニットまたはメインパッチ１１０のドッキングエリア１２０ｃは、アーム１２４を用いて、センサハブ１３０、またはセンサハブ１３０を収容するエリアに結合され得る。アーム１２４は、メインセンサユニットまたはメインパッチ１１０の中心エリアからすべての着脱式センサポッド１２０のドッキングエリア１２０ｃに延びる強化エリアであり得る。アーム１２４は、メインセンサユニットまたはメインパッチ１１０および着脱式センサポッド１２０を含むセンサアセンブリに強度を与え得る。アーム１２４によって与えられた補強は、メインセンサユニットまたはメインパッチの設置、着脱式センサポッド１２０の分離、着脱式センサポッド１２０の操作、またはセンサが所定の位置にあるときの体の動きなど、センサの他の動きの間に有用であり得る。
【００４６】
図１Ａおよび図１Ｂに示すように、センサハブ１３０は、着脱式センサポッド１２０との通信ペアリング、体の上の正しい位置決め、および／または適切な物理的または生理的センサデータの正常な受信など、センサアセンブリの動作の表示をもたらすように構成された発光ダイオード（ＬＥＤ）または色が変化するディスプレイ材料などのインジケータ１３２を含み得る。同様に、着脱式センサポッド１２０はまた、接続ステータス、ペアリングステータス、感知ステータス、または体の上の適切な位置を含む、着脱式センサポッド１２０のステータスに関する様々な表示をもたらすためのインジケータ１２２（たとえば、ＬＥＤまたは色が変化するディスプレイ）を設けられ得る。
【００４７】
いくつかの実施形態では、メインセンサユニットまたはメインパッチ１１０は、センサハブ１３０を含むメインセンサユニットまたはメインパッチ１１０および／または体または物体の上の着脱式センサポッド１２０の設置に関連しないアプリケーション内で使用され得る。代わりに、メインセンサユニット１１０、または着脱式センサポッド１２０およびセンサハブ１３０のうちの１つまたは複数は、センサが体の上ではなく感知されるべき量の近くに設置される近接性アプリケーションにおいて使用され得る。メインセンサユニット１１０、または着脱式センサポッド１２０およびセンサハブのうちの１つまたは複数は、着脱式センサポッド１２０などの構成要素のうちの１つまたは複数が、感知を必要とする量の中に直接設置されるアプリケーションにおいて使用され得る。一例は、体または物体の上へのセンサの設置を伴わない患者関連の量を周期的にモニタすることを含み得る。たとえば、周期的なモニタリングは、着脱式センサポッド１２０のうちの１つを取り外すかまたは「剥離」し、分離されたセンサポッド１２０を尿の流れの中または１つまたは複数の量の感知が行われ得る別の環境の中に設置することによって実行され得る。次いで、着脱式センサポッド１２０は、その値をセンサハブ１３０に報告し、センサハブ１３０は、センサ値を記憶して受信機デバイスに伝達し得る。次いで、着脱式センサポッド１２０は、廃棄されてよい。患者が、後で別の読取りを行う必要があるときに、着脱式センサポッド１２０のうちの別の１つが剥離されて、次のモニタリングまたは感知活動に使用され得る。
【００４８】
さらなるアプリケーションは、温度、光、ガスの存在、または他の態様もしくは量など、ある位置における態様を検出するために、メインセンサユニットまたはメインパッチ１１０もしくは分離されたセンサポッド１２０がその位置に投入される、「投入（ｔｈｒｏｕｇｈ）」アプリケーションを含み得る。上記の例は、様々な実施形態の多くの他のアプリケーションが可能であるので、非網羅的かつ非限定的であることを意図されている。
【００４９】
図２Ａおよび図２Ｂに示す一実施形態では、センサハブインジケータ１３２および／または着脱式センサポッドインジケータ１２２は、それぞれ、センサハブおよび着脱式センサポッドの上面上に形成され得る。したがって、センサハブおよび／または着脱式センサポッドの上面全体が、本明細書で説明するステータスまたは状態を示すために色を変化させるインジケータであってよい。
【００５０】
図２Ａはまた、センサデータを通信するために、一体型粘着センサアレイ１００とモバイルコンピューティングデバイス２４０との間に通信リンクを確立する一例を示す。使用中、所定の位置にある着脱式センサポッド１２０およびセンサハブ１３０を有するメインセンサユニットまたはメインパッチ１１０は、少なくともセンサハブ１３０を活性化するかまたは励起する（ｅｎｅｒｇｉｚｉｎｇ）ことによって、活性化され得るか、または少なくとも通信リンクを確立する（「ペアリング」）目的で活性化され得る。センサハブ１３０が活性化されると、無線信号２４１ａが、センサハブ１３０から送信され得る。無線信号２４１ａは、プローブ様の信号、接続要求信号、Ｂｌｕｅｔｏｏｔｈ（登録商標）広告パケット、または他のペアリング関連信号など、通信プロトコルに従うペアリング要求パケットの形態であり得る。
【００５１】
一体型粘着センサアレイ１００およびモバイルコンピューティングデバイス２４０が通信範囲内にないときに、無線信号２４１ａは受信されず、ペアリングは発生しない。ペアリングが発生する前に、センサハブ上のインジケータ１３２は、通信リンクが未だ確立されていないことを示す、第１の色または表示１３２ａを表現し得る。
【００５２】
センサが、モバイルコンピューティングデバイス２４０の通信範囲内に移動される（２４３）と、無線信号２４１ｂがモバイルコンピューティングデバイス２４０によって受信され得、ペアリングが発生し得る。センサハブ１２０とモバイルコンピューティングデバイス２４０との間でペアリングが発生すると、モバイルコンピューティングデバイス２４０のディスプレイ２４２は、たとえば「ペア成立（Ｐａｉｒｅｄ）」メッセージを表現することによってペアリングの表示をもたらし得る。同じく、センサハブ１３０のインジケータ１３２は、色の変化（図２Ａのハッチングにおける変化によって示す）など、ペアリングが発生したことを示すための表示１３２ｂをもたらし得る。
【００５３】
図２Ｂに示すさらなる例では、着脱式センサポッド１２０はまた、着脱式センサポッド１２０とセンサハブ１３０との間の通信ペアリングのステータスの表示をもたらすように、インジケータ１２２を用いて構成され得る。メインセンサユニットまたはメインパッチ１１０は、着脱式センサポッド１２０およびセンサハブ１３０とともに、患者２１０上の設置位置２１１ａに設置され得る。設置位置２１１ａは、様々な医学的および物理的または生理的考察に基づく、メインセンサユニットまたはメインパッチ１１０の設置に適切なエリア内であり得る。たとえば、設置位置２１１ａは、特定の物理的もしくは生理的または生物医学的パラメータ（たとえば、脈拍、血圧、ＥＫＧ電界、など）を測定するのに適切な位置であり得る。メインセンサユニットまたはメインパッチ１１０の設置はまた、一体型粘着センサアレイ１００がセンサデータを通信し得る受信機デバイス（たとえば、モバイルコンピューティングデバイス２４０）または受信機システムへの近接性など、他の考察に依存する場合がある。
【００５４】
着脱式センサポッド１２０が、メインセンサユニットまたはメインパッチ１１０上の所定の位置にあり、センサハブ１３０に電気的に結合されているときに、インジケータ１２２は、着脱式センサポッド１２０のステータスの表示１２２ａをもたらし得る。ステータスは、たとえば、センサハブに接続されて動作可能であるとして示されてよい。表示は、色に基づいて特定のステータスを具体的に示すカラーコード化表示であってよい。代替として、表示は、ステータスコード、センサの読み値、センサステータスの英数字表示、または他の表示を示す数値または英数字の表示であってよい。
【００５５】
着脱式センサポッド１２０が一体型粘着センサアレイ１００から取り外されて、電気的コネクタ１２１ａと１２１ｂとの間の電気的接触が遮断されると、無線信号１２３が、着脱式センサポッド１２０上の無線モジュールまたは送信機（またはトランシーバ）から送信され得る。無線信号１２３は、信号１２３を受信するためにそれ自体の無線モジュールまたは受信機を装備され得るセンサハブ１３０とのワイヤレス通信リンクを確立するように構成され得る。無線モジュールを有するセンサハブ１３０は、着脱式センサポッド１２０が受信機（またはトランシーバ）を装備されている場合に、着脱式センサポッド１２０にデータまたはコマンドを同様に送信するように構成されたトランシーバであってよい。着脱式センサポッド１２０が取り外されて、ワイヤレス通信リンクがセンサハブ１３０と確立されたときに、着脱式センサポッドインジケータ１２２は、異なる表示１２２ｂをもたらし得る。表示１２２ｂ（ピクチャカラーなど）は、センサがセンサハブとペアを組んだこと、他の表示、を示し得る。
【００５６】
取り外された着脱式センサポッド１２０は、センサに関連する特定の物理的または生理的パラメータが測定または感知され得るエリアなど、患者の設置位置２１１ｂ内に設置され得る。設置位置２１１ｂの適切性は、着脱式センサポッド１２０によって測定される特定の物理的または生理的パラメータによって決まるので、表示１２２ｂは、同様にまたは代替として、着脱式センサポッド１２０の適切な設置に関するフィードバックを臨床医に提供するために使用され得る。様々な実施形態では、着脱式センサポッド表示１２２ｂは、着脱式センサポッド１２０の設置に関するフィードバックを提供するために、センサハブ１３０上のセンサハブ表示１３２ｂとともにもたらされ得る。
【００５７】
データ通信が着脱式センサポッド１２０とセンサハブ１３０との間、およびセンサハブ１３０とモバイル通信デバイス２４０との間で確立されると、一体型粘着センサアレイ１００は、医学的または物理的もしくは生理的モニタリングシステムの一部を形成し得る。一体型粘着センサアレイ１００が使用され得る例示的な実施形態のシステムまたは通信システム２０２を、図２Ｃに示す。上記で説明したように、センサメインボディ１１０、複数の着脱式センサポッド１２０、センサハブ１３０を含む一体型粘着センサアレイ１００は、患者または着用者などの体に取り付けられ得る。着脱式センサポッド１２０のうちの１つまたは複数は、メインセンサユニットまたはメインパッチ１１０から取り外され、患者または着用者の体など、体の上の様々な位置に設置され得る。様々な実施形態では、着脱式センサポッド１２０は、上記で説明したように、ワイヤレス通信リンク１２３を介して、または電気的コネクタ１２１ａおよび１２１ｂを介するワイヤード通信リンクを介してセンサハブ１３０と通信し得る。
【００５８】
センサハブ１３０は、ワイヤレス通信リンク２４１ａを介してモバイル通信デバイス２４０ａとペアを組まれ得る。モバイル通信デバイス２４０ａは、ワイヤレス通信リンク２４２ａを介して受信機２５０と通信中であり得る。ワイヤレス通信リンク２４２ａは、ワイヤレスアクセスポイントまたは他の受信デバイスであり得る受信機２５０に結合されたアンテナ２５１を介して確立され得る。受信機２５０は、さらに、接続２５０ａを介してコンピューティングデバイス２５２に、かつ別のデータ接続２５０ｂを介してネットワーク１０２に結合され得る。コンピューティングデバイス２５２は、データ接続２５２ａを介して記憶デバイス２５３に結合され得る。記憶デバイス２５３は、大容量記憶デバイスまたはメモリデバイスなど、外部または内部記憶デバイスであってよい。記憶デバイス２５３は、着脱式センサポッド１２０を含むセンサからのデータの読みなど、蓄積された情報を記憶するために使用され得る。記憶デバイス２５３は、さらに、患者または着用者情報、医学的条件および／または医療処置情報、あるいは他の情報など、他の情報を記憶し得る。代替実施形態では、センサハブ１３０は、受信機２５０のアンテナ２５１へのワイヤレス通信リンク２４１ｃを介して受信機２５０と直接通信し得る。
【００５９】
ネットワーク１０２への接続が存在するとき、コンピューティングデバイス２５２は、たとえば、サーバ２７０を介して医療システムと接続し得る。医療システムは、センサからの読みがリアルタイムで送信されることを可能にすることによって、体のリモートモニタリングを可能にするために、一体型粘着センサアレイ１００から通信システム２０２によって受信されるセンサデータを使用し得る。通信システム２０２は、さらに、介護者が患者データをモニタし、リモート診断を提供することを可能にし得る。記憶デバイス２５３に記憶された患者情報および医療情報は、記録の保管および分析のためなど、収集および記憶のために医療システムに転送され得る。センサの読みは、いくつかの条件が生じたときに医療システム内で警報を自動的にトリガするために使用され得る。そのような場合、センサハブ１３０および着脱式センサポッド１２０上のインジケータは、警報表示をもたらすために活性化され得る。
【００６０】
様々な実施形態では、センサは、ネットワーク１０２へのセルラー接続を介して医療システムサーバ２７０との通信を生成し得るモバイルコンピューティングデバイス２４０ｂに結合され得る。センサハブ１３０は、モバイルコンピューティングデバイス２４０ｂとの接続２４１ｂを確立し得る。モバイルコンピューティングデバイス２４０ｂは、セルラー基地局のアンテナなどのワイヤレスインフラストラクチャ構成要素２６０への接続２４２ｂを介してセルラーネットワークに結合され得る。ワイヤレスインフラストラクチャ構成要素２６０は、接続２６０ａを介してネットワーク１０２に結合され得る。ネットワーク１０２は、様々なネットワーク要素またはノード間の通信およびデータ転送を提供するネットワークまたはネットワークの組合せを表し得る。ネットワーク１０２は、パブリックネットワーク、プライベートネットワーク、またはパブリックネットワークとプライベートネットワークの組合せを含み得る。ネットワーク１０２はまた、音声およびデータトラフィックを搬送することができる公衆交換電話網を含み得る。モバイルコンピューティングデバイス２４０ｂは、センサからの読みを直接医療システムに提供するために、医療システムサーバ２７０に接続し得る。センサの読みは、分析され、記録されて、サーバ２７０および／または医療システムに関連する記憶デバイス（図示せず）に記憶され得る。
【００６１】
様々な実施形態では、一体型粘着センサアレイ１００は、メインセンサユニットまたはメインパッチ１１０の設置および着脱式センサポッド１２０の取り外し（および再設置）がセンサを損傷しないように、フレキシブルで弾力的であるように構成され得る。図３Ａは、一体型粘着センサアレイ１００が、いかにして、メインセンサユニットまたはメインパッチ１１０、着脱式センサポッド１２０に対するドッキングエリア、および着脱式センサポッド１２０自体の断裂の可能性を低減しながら着脱式センサポッド１２０が取り外されるように構成され得るかの一例を示す。着脱式センサポッド１２０に対するドッキングエリアは、アーム３３４を介してメインセンサユニットまたはメインパッチ１１０に取り付けられ得る。断裂は、特に、個別の着脱式センサポッドが分離されるときの関心事であり得る。断裂の機会を低減するために、着脱式センサポッド１２０は、プルタブ３２１を設けられる場合がある。ユーザ３０１は、図３Ａに示すように、プルタブ３２１を把持し、取り外し力３４０を、プルタブ３２１に加えて、メインセンサユニットまたはメインパッチ１１０から着脱式センサポッド１２０を取り外すことができる。取り外し力３４０は、着脱式センサポッド１２０をメインセンサユニットまたはメインパッチ１１０に取り付ける粘着物によって与えられた粘着力に打ち勝つのに十分であり得る。
【００６２】
図３Ｂに示す一例では、センサは、取り外し力３４０が分散されて断裂を防止するように配列され得る。着脱式センサポッド１２０は、アーム３３４を介してメインセンサユニットまたはメインパッチ１１０に取り付けられる。アーム３３４は、着脱式センサポッド１２０に対するドッキングエリアを強化する役割を果たし、力３４０を分散し得る。たとえば、着脱式センサポッド１２０ａが取り外し力３４０を加えることによって取り外されるときに、取り外し力３４０は、矢印３４１によって示すようにセンサアーム３３４のすべてに分配される。このようにして取り外し力３４０を分散することで、着脱式センサポッド１２０ａのエリアにおいて取り外し力３４０の局所集中が防止され、取り外し中にエリア内で断裂することが防止される。ねじり（ｔｏｒｓｉｏｎａｌ）力またはひねり（ｔｗｉｓｔ）力が、着脱式センサポッド１２０ａを取り外している間に増大される（ｄｅｖｅｌｏｐｅｄ）場合もある。アーム３３４を設けることによって、ねじり力は、同様に、アーム３３４の構造に応じて分散され得る。たとえば、アーム３３４は、センサボディまたはセンサボディの構成要素の局部的断裂を阻止する程度のねじれ剛性を有するように構成され得る。
【００６３】
図３Ａおよび図３Ｂに示す例は、５つの着脱式センサポッド１２０を含むが、一体型粘着センサアレイ１００は、図３Ｃに示す単一のポッド１２０から、図３Ｄに示す２つの着脱式センサポッド１２０、図３Ｅに示す３つの着脱式センサポッド１２０など、任意の数の着脱式センサポッド１２０を含むように構成され得る。図３Ｆに示すように、着脱式センサポッド１２０の数は、センサメインボディ１１０上の利用可能なスペースおよび着脱式センサポッド１２０のサイズによってのみ制限され得る。いくつかの実施形態では、センサは、多数の着脱式センサポッド１２０を装備され得、それらの一部または全部が、医学的または物理的もしくは生理的パラメータの測定値において改善された精度を提供し得る測定アレイを形成する所定の位置において使用され得る。
【００６４】
図３Ｇは、メインユニットまたはメインパッチ１１０が、星のポイント上に配置された５つの着脱式センサポッド１２０を有する星形を有する、一実施形態の一体型粘着センサアレイ１００を示す。この構成は、星形が、一体型粘着センサアレイ１００が患者の体の曲線的な部分に座屈することなく良好に粘着することを可能にするので有利であり得る。
【００６５】
一体型粘着センサアレイおよび受信機の一実施形態のシステム４００の構成要素ブロック図を図４Ａに示す。他の例と同様に、一体型粘着センサアレイは、１つまたは複数のセンサポッド１２０とセンサハブ１３０とを含み得る。
【００６６】
着脱式センサポッド１２０の各々は、アンテナ４２１と、表示４２２ａをもたらすためのインジケータ４２２と、コネクタ４２３とを含み得る。インジケータ４２２は、ディスプレイなどの視覚的インジケータであってよい。着脱式センサポッドインジケータ４２２は、圧電素子などの聴覚的インジケータであってよい。着脱式センサポッドインジケータ４２２は、聴覚的インジケータと視覚的ディスプレイの組合せであってよい。
【００６７】
センサハブ１３０は、アンテナ４３１と、表示４３２ａをもたらすためのインジケータ４３２と、着脱式センサポッド１２０のコネクタ４２３にセンサハブを接続し得るコネクタ４３３とを含み得る。センサハブインジケータ４３２は、ディスプレイなどの視覚的インジケータであってよい。センサハブインジケータ４３２は、圧電素子などの聴覚的インジケータであってよい。センサハブインジケータ４３２は、聴覚的インジケータと視覚的ディスプレイの組合せであってよい。着脱式センサポッドコネクタ４２３およびセンサハブコネクタ４３３は、たとえば上記で説明し、図１Ｂに示す接点を介する、着脱式センサポッド１２０とセンサハブ１３０との間の電気的コネクタの形態であってよい。着脱式センサポッドコネクタ４２３およびセンサハブコネクタ４３３はまた、電気的接続を収容して容易にするための多様なコネクタサポート構造（図示せず）のうちのいずれかを含み得る。着脱式センサポッド１２０とセンサハブ１３０との間の電気的接続は、（たとえば、センサハブ１３０から）着脱式センサポッド１２０に電力を供給し、信号およびデータ接続を供給する接続であってよい。
【００６８】
一体型粘着センサアレイが受信機４５０の範囲内にあるとき、ワイヤレス通信リンク４３１ａが、アンテナ４５１を介してセンサハブ１３０と受信機４５０との間に確立され得る。ワイヤレス通信リンク４３１ａは、着脱式センサポッド１２０のうちの１つまたは複数からのセンサデータまたはセンサの読みなどの情報を、センサハブ１３０が受信機４５０に転送することを可能にし得る。様々な実施形態では、センサハブ１３０は、一体型粘着センサアレイが受信機の通信範囲内に入ったときに蓄積されたセンサの読みを転送すること、またはセンサハブ１３０の通信範囲内に入ったときに着脱式センサポッド１２０のうちの１つまたは複数からセンサの読みをリアルタイムで転送し始めることができる。センサの読みは、着脱式センサポッドコネクタ４２３およびセンサハブコネクタ４３３によってもたらされる電気的接続を介してセンサハブ１３０によって取得され得る。受信機４５０とのワイヤレス通信リンク４３１ａが確立されると、インジケータ４３２は、肯定的表示４３２ａをもたらし得、またはセンサハブが受信機４５０と正常にペアになったときに異なる表示をもたらし得る。着脱式センサポッドインジケータ４２２の各々は、着脱式センサポッドがセンサハブ１３０と正常に通信しているときに、表示４２２ａをもたらすように構成され得る。表示４２２ａはまた、着脱式センサポッド１２０内のセンサが、容認可能なまたは十分なレベルの当該の医学的または物理的もしくは生理的パラメータを感知しているときにもたらされ得る。表示４２２ａはまた、センサが、最適なレベルの医学的または物理的もしくは生理的パラメータを感知しているかどうかを示し得る。着脱式センサポッド１２０に対する最適なレベルまたは十分なレベルの医学的または物理的もしくは生理的パラメータは、センサハブ１３０内に記憶されている情報に基づき得る。最適なレベルまたは十分なレベルの物理的または生理的パラメータはまた、センサハブ１３０によって受信機４５０から受信され得る。受信機４５０は、十分なまたは最適な物理的または生理的パラメータのセンサレベルに関する情報、ならびにセンサのモニタリングおよびセンサデータの評価に有用な他の情報を記憶し得る。受信機４５０はまた、受信機が接続しているかまたは接続可能である医療システム、または医療システムに関連するサーバから、十分なまたは最適なセンサレベルの物理的または生理的パラメータに関する情報を取得し得る。
【００６９】
一体型粘着センサアレイおよび受信機の実施形態のシステム４００の構成要素ブロック図を図４Ｂに示しており、そこにおいて、着脱式センサポッド１２０ａのうちの１つが、一体型粘着センサアレイから取り外されている。着脱式センサポッド１２０ａがセンサハブ１３０から取り外されるかまたは剥離されると、着脱式センサポッドコネクタ４２３およびセンサハブコネクタ４３３によってもたらされる、センサハブ１３０と着脱式センサポッド１２０ａとの間の電気的接触が、遮断され得る。電気的接続におけるこの遮断は、ローカル電源（バッテリーなど）の使用を開始することと、着脱式センサポッド１２０ａ内のワイヤレス送信機またはトランシーバを活性化することとを着脱式センサポッド１２０ａに行わせ得る。電気的接触の遮断時に送信機を活性化することで、ワイヤレス通信リンク４２１ａがアンテナ４３１を介してセンサハブ１３０と確立されることが可能になる。分離されたセンサポッド１２０ａのディスプレイまたは表示４２２は、センサハブ１３０とのワイヤレス通信リンク４２１ａを着脱式センサポッド１２０ａが確立したことの表示４２２ｂを、他の表示とともにもたらし得る。たとえば、着脱式センサポッドディスプレイ４２２ｂは、着脱式センサポッド１２０ａが上記で説明したように体の上に適切に設置されているときに示し得る。表示４２２ｂは、着脱式センサポッド１２０ａを体の上に設置する臨床医に視覚的フィードバックを提供して、適切な設置を容易にすることができる。
【００７０】
例示的な実施形態の着脱式センサポッド１２０の構成要素ブロック図を図４Ｃに示す。上記で説明したように、着脱式センサポッド１２０の各々は、アンテナ４２１と、インジケータ４２２と、電気的コネクタ４２３とを含み得る。加えて、着脱式センサポッド１２０はコントローラ４２５を含んでよく、コントローラ４２５は、着脱式センサポッド１２０の動作、および着脱式センサポッド１２０とセンサハブ１３０などの他のシステム構成要素との相互動作を制御するためのプロセッサ実行可能命令を用いて構成され得るプロセッサであってよい。コントローラ４２５は、コントローラ４２５を構成するため、およびセンサデータなどの情報を記憶するためのプロセッサ実行可能命令を記憶するためのメモリ４２５ａを含み得る。コントローラ４２５は、トランシーバ４２６に結合されてよく、トランシーバ４２６は、主に、センサデータをセンサハブ１３０に送信するための送信機として動作し得る。様々な実施形態では、トランシーバ４２６は、送信機であってよく、すなわち送信するためだけに構成されてよい。いくつかの実施形態では、トランシーバ４２６は、センサハブ１３０にデータを送り、センサハブ１３０からデータを受信することができる。
【００７１】
着脱式センサポッド１２０は、キャパシタ、バッテリー、もしくは環境発電デバイス（たとえば、フォトセル）、または環境発電デバイスと、環境発電されたエネルギーによって充電または再充電され得る貯蔵要素との組合せなどの電力要素４２７をさらに含み得る。
【００７２】
着脱式センサポッド１２０は、センサ要素４２８をさらに含み得る。センサ要素４２８は、単一の物理的または生理的パラメータを感知するように構成され得る。代替として、センサ要素４２８は、多様な生物医学的量を感知するように構成され得る。別の実施形態では、センサ要素４２８は、センサ要素および環境発電要素として構成され得る。環境発電要素として構成されるとき、センサ要素４２８は、電力要素４２７内に貯蔵される電力を供給し得る。代替として、電力要素４２７は、環境発電用に構成されるとき、１つまたは複数の環境発電量を利用する別個の環境発電要素（図示せず）を有し得る。
【００７３】
着脱式センサポッド１２０が電気的コネクタ４２３などを介してセンサハブ１３０に接続されるとき、センサ要素４２８からのセンサデータは、センサ線４２９を介してセンサハブ１３０に直接供給され得る。この構成では、着脱式センサポッド１２０は、センサハブ１３０に対するリモート感知ユニットとして働き得る。センサハブ１３０に供給されるセンサ要素４２８からの読みまたはセンサデータは、上記で説明したように、ワイヤレス通信リンクを介して受信機に転送され得る。代替として、センサ要素４２８からのセンサデータは、コントローラ４２５に供給されてよく、場合によってはメモリ４２５ａ内に記憶されてよい。コントローラ４２５は、センサデータを、センサハブ１３０への通信においてセンサハブ１３０に送ることができる。
【００７４】
一体型粘着センサアレイは、多くの着脱式センサポッド１２０を装備され得るので、着脱式センサポッド１２０の各々とセンサハブ１３０との間の通信は、通信干渉を回避するために協調プロトコルに従って実施され得る。センサデータがセンサハブ１３０に直接供給されるとき、センサハブ１３０は、着脱式センサポッド１２０からのセンサデータの捕捉を管理および調整することができる。
【００７５】
一実施形態のセンサハブ１３０の構成要素ブロック図を図４Ｄに示す。センサハブ１３０は、前に説明したように、アンテナ４３１と、インジケータ４３２と、電気的コネクタ４３３とを含み得る。センサハブ電気的コネクタ４３３は、上記で説明したように、それぞれの着脱式センサポッドの電気的コネクタ４２３を介して着脱式センサポッド１２０に接続するように構成され得る。センサハブの電気的コネクタ４３３は、着脱式センサポッドの電気的コネクタ４２３に接続されるときに、データ接続および電力接続を着脱式センサポッド１２０に、たとえばセンサハブ１３０に関連する配線を介して供給し得る。たとえば、センサハブの電気的コネクタ４３３は、着脱式センサポッド１２０の電気的コネクタ４２３に接続されるときに、センサ信号をリアルタイムで受信すること、または着脱式センサポッド１２０のセンサ要素４２８から直接出力することを行うように構成され得る。
【００７６】
加えて、センサハブ１３０はコントローラ４３５を含んでよく、コントローラ４３５は、センサハブ１３０の動作、およびセンサハブ１３０と着脱式センサポッド１２０などの他のシステム構成要素との相互動作を制御するためのプロセッサ実行可能命令を用いて構成され得るプロセッサであってよい。コントローラ４３５は、コントローラ４３５を動作させるため、および着脱式センサポッド１２０から受信されたセンサデータなどの情報を記憶するためのプロセッサ実行可能命令を記憶するためのメモリ４３５ａを含み得る。着脱式センサポッド１２０が、電気的コネクタ４３３／４２３を介してセンサハブ１３０に電気的に接続されるとき、コントローラ４３５は、データ線４３９を介してそれぞれのコントローラ４２５からデータを受信し得る。
【００７７】
着脱式センサポッド１２０のコントローラ４２５からセンサハブ１３０のコントローラ４３５へのデータの転送は、データ送信衝突が発生しないように協調を必要とする場合がある。そのような協調は、通信分野でよく知られているネットワーキングプロトコル、多重化または他の協調機構を介して成し遂げられ得る。たとえば、ネットワークプロトコルは、着脱式センサポッド１２０の各々がデータを異なる時刻にセンサハブ１３０に送信するようにデータを送信するために、コントローラ４２５の各々に対して時間間隔を割り当てるステップを伴う場合がある。多重化は、さらに、センサハブ１３０と関連付けられたハードウェア（図示せず）内で成し遂げられ得る。ハードウェア多重化方式において、コントローラ４２５からのデータは、コントローラ４３５内でバッファリングされ、コントローラ４３５によって逐次アクセスされ得る。
【００７８】
コントローラ４３５は、トランシーバ４３６などの無線モジュールに結合され得る。トランシーバ４３６は、着脱式センサポッド１２０が、コネクタ４３３／４２３を介してセンサハブ１３０に電気的に接続されていないときに、着脱式センサポッド１２０からデータを受信するための受信機として動作し得る。トランシーバ４３６は、さらに、センサデータを受信機４５０に送信するための送信機として動作し得る。したがって、いくつかの実施形態では、トランシーバ４３６は、着脱式センサポッド１２０、受信機４５０、またはセンサデータを受信可能なデバイスにデータを送ること、およびそこからデータを受信することができる。別の実施形態では、着脱式センサポッド１２０からワイヤレス信号を受信するための受信機（図示せず）、および受信機４５０と通信する（たとえば、受信機４５０にセンサデータを送り、受信機４５０からコマンド信号内の構成を受信する）ように構成されたトランシーバ４３６など、２つ以上の無線モジュール４３６が、センサハブ１３０内に含まれ得る。着脱式センサポッド１２０がセンサハブから切り離されると、着脱式センサポッド１２０のトランシーバ４２６からセンサハブ１３０のトランシーバ４３６およびコントローラ４３５へのデータのワイヤレス転送は、センサデータを送信するために時間間隔または周波数チャネルを着脱式センサポッド１２０の各々に割り当てること、あるいは他のよく知られている通信多重化技法など、複数の着脱式センサポッドのデータ送信衝突を管理するために協調され得る。これを成し遂げるために、コントローラ４３５は、複数の着脱式センサポッド１２０との通信を管理するために、通信プロトコルおよび／またはネットワークプロトコルを実施するためのプロセッサ実行可能命令を用いて構成され得る。
【００７９】
センサハブ１３０は、環境発電要素４３８（たとえば、フォトセル）に結合されたバッテリーおよび／またはエネルギー貯蔵回路（たとえば、キャパシタまたは再充電可能バッテリー）などの電力要素４３７を含み得る。電力要素４３７は、センサハブ１３０と、センサハブ１３０が通電可能に（ｅｌｅｃｔｒｉｃａｌｌｙ）取り付けられた着脱式センサポッド１２０のうちのいずれかとの構成要素の両方に給電するのに十分な能力を有し得る。環境発電要素４３８は、センサによって同様に測定される物理的または生理的パラメータから電力を採取するように特別に構成され得る。代替として、環境発電要素４３８は、多様なエネルギー源（たとえば、光、熱、動き、など）からエネルギーを採取するように構成された複数の環境発電要素を含み得る。環境発電要素４３８は、場合によっては、着脱式センサポッド１２０からの感知を補足するためのセンサ要素および環境発電要素として構成され得る。環境発電要素４３８は、エネルギーの１つの形態を、センサハブ１３０および取り付けられた着脱式センサポッド１２０を給電するために電力要素４３７内に貯蔵され得る電気エネルギーに変換するために使用され得るいくつかの知られている環境発電デバイスまたは機構のうちのいずれかであってよい。様々な実施形態では、環境発電要素４３８および電力要素４３７は、単一のデバイスまたは構成要素内で組み合わされてよい。環境発電要素４３８はまた、センサとして使用され得る。
【００８０】
多様な物理的または生理的パラメータＱ１〜Ｑｎを感知して測定するための一体型粘着センサアレイの設置および動作に対する一実施形態の方法５００を図５に示す。実施形態の方法５００は、センサハブおよび着脱式センサポッドのプロセッサまたはコントローラ上で実行するプロセッサ実行可能命令において実施されてよく、センサハブおよび着脱式センサポッドの実施形態は、上記で説明されている。
【００８１】
ブロック５０１において、センサは、体の適切な部分に設置され得、測定のために活性化され得る。一体型粘着センサアレイは、メインセンサユニットまたはメインパッチの表面を少なくとも部分的にカバーする粘着性裏張りを使用して体の皮膚に付着され得る。いくつかの実施形態では、センサは、設置が行われる前に、少なくとも、体の上への適切な設置を支援するために設置関連表示がもたらされ得る設置モードにおいて活性化され得る。代替として、一体型粘着センサアレイは、最初に設置モードにおいて活性化され、次いで動作モードまたはセンサモードにおいて活性化されるように構成され得る。活性化は、電力要素を活性化させるように機能する、メインセンサユニットまたはメインパッチ上の粘着性裏張り上のカバー膜の取り外しを含み得る。たとえば、センサハブおよび着脱式センサポッドを動作させるためのバッテリーの１つまたは複数のターミナルは、取り外し可能な絶縁レイヤによってカバーされてよく、絶縁レイヤは、粘着性裏張りをカバーする膜とともに取り外されて、ターミナルがセンサハブ回路と接触することを可能にする。センサハブの活性化は、ブロック５０１におけるいくつかの初期化動作を含み得、そこにおいて、実行可能な命令がコントローラにロードされ、初期値が設定され、自己検査動作が実施される。
【００８２】
ブロック５０２において、センサハブは、初期化して、センサハブの通信範囲内にある受信機との通信リンク（すなわち、ペア）を確立することができる。ブロック５０２における受信機とのそのようなペアリングは、Ｂｌｕｅｔｏｏｔｈ（登録商標）プロトコルなどの知られている通信プロトコルに従って成し遂げられ得る。たとえば、センサハブは、受信機からのリンク利用可能性広告送信に対してモニタし得る。受信機がセンサハブによって認識される場合、センサハブおよび受信機は、ハンドシェーキング信号、認証証明、および患者の医療データを送信するのに適切なセキュアな通信リンクを確立することを可能にする暗号化キーなどのペアリングメッセージを交換し得る。センサデータは、機密扱いであるかまたは患者の情報の保護を必要とする規則の支配下にある場合があるので、センサハブと受信機との間の通信は、特に、病院の外の施設で（たとえば、医療補助者および初期対応者によって）使用されるように構成された実施形態において、暗号化され得る。受信機とセンサハブとの間で確立された通信リンクは、受信機上で実行するアプリケーションによって管理され得る。このようにして、センサハブは、ブロック５０２における動作の一部として実施され得る登録プロセスにおいて受信機によって識別または認識され得る。代替として、動作に対して活性化する前に、センサは、活性化されて受信機と事前構成または事前ペアリングされて、動作に対するペアリングを簡略化する場合がある。
【００８３】
センサハブが受信機と正常にペアになると、ブロック５０３において、ワイヤレス通信リンクが確立されたことの表示が、センサハブのインジケータまたはディスプレイ上に表現され得る。表示は、聴覚的表示もしくは視覚的表示であってよく、または聴覚的表示と視覚的表示の組合せであってよく、色の変化、音の変化、英数字表現、およびそれらの組合せを含んでもよい。表現される表示はまた、ペアリングが始まったこと、登録プロセスが行われていること、および最後に通信リンクが確立されてセンサの使用が開始できることなどを示すために、登録プロセスの間に変化し得る。
【００８４】
着脱式センサポッドがメインセンサユニットまたはメインパッチ上に配置されると、着脱式センサポッドは、上記で説明したように、電力および通信データを受信するためにワイヤード接続を介してセンサハブに電気的に結合され得る。着脱式センサポッドＳ１〜Ｓｎがセンサハブに電気的に接続されると、ブロック５０４において、結合（ａｓｓｏｃｉａｔｉｏｎ）または通信リンクが、センサハブと着脱式センサポッドＳ１〜Ｓｎの各々との間で確立され得る。この結合は、メッセージ衝突を回避するようにセンサハブと着脱式センサポッドとの間の通信を管理するために、時間ベースもしくは周波数ベースの多重化、ポーリング、または他の協調機構などのネットワークプロトコルを開始するステップを含み得る。
【００８５】
ブロック５０５において、着脱式センサポッドがセンサハブと正常に結合されて通信しているときに、正常結合の表示が、センサハブおよび着脱式センサポッドの一方または両方のディスプレイまたはインジケータ上に表現され得る。上記で説明したように、この表示は、視覚的表示、聴覚的表示、または視覚的表示と聴覚的表示の組合せであってよい。視覚的表示は、色の変化、英数字コードもしくはメッセージ、または他の視覚的表示を含み得る。聴覚的表示は、ビープ音、トーン、振動、または一連のトーンもしくは振動、あるいは他の聴覚的もしくは触覚的表示であってよい。
【００８６】
着脱式センサポッドが、電気的コネクタを介してセンサハブと通信しているメインセンサユニットまたはメインパッチ上で所定の位置にある間、着脱式センサポッド内のセンサは、それらのそれぞれの物理的または生理的パラメータを感知または測定し得る。すなわち、センサハブおよび着脱式センサポッドが活性化されたとき、着脱式センサポッドがパッチから取り外されて患者の上の他の位置に付着される前に、センサは、それらのそれぞれの物理的または生理的パラメータを感知することを開始し得る。センサハブにデータを送るために使用される通信機構は、着脱式センサポッドがメインセンサユニットまたはメインパッチ上に配置されているかまたは所定の位置にあるかどうかに応じて異なるので、着脱式センサポッドの各々の中のコントローラは、着脱式センサポッドがパッチ上に配置されているかどうかを決定し得、したがって決定ブロック５０６において、所定の位置にあることを感知するように構成される。着脱式センサポッドコントローラの各々が依然としてパッチ上に配置されており、したがって所定の位置において感知しているものと、着脱式センサポッドコントローラの各々が決定する（すなわち、決定ブロック５０６＝「Ｙｅｓ」）とき、ブロック５０７において、着脱式センサポッドは、それらのそれぞれの物理的または生理的パラメータ（たとえば、脈拍、血圧、ＥＫＧ、など）のセンサの読みを取ることを開始し、ブロック５０８において、それらのセンサデータを電気的接続を介して通信プロトコルに対するセンサハブに伝達することができる。上記で説明したように、センサハブは、データの通信を容易にし、メッセージ衝突を回避するために、着脱式センサポッドとの協調された通信方式または通信プロトコルを確立し得る。そのようなプロトコルは、実施され得る知られている通信プロトコルのほんのいくつかの例を挙げれば、時間ベースまたは周波数ベースの多重化通信方式、データポーリング方式、またはランダムデータ送信方式であってよい。たとえば、データポーリング方式では、センサハブは、そのセンサデータの送信を要求するために、着脱式センサポッドの各々を順番に周期的にポーリングし得る。
【００８７】
着脱式センサポッド上のコントローラがメインセンサユニットまたはメインパッチ上になく、したがって所定の位置において感知していないものと、そのコントローラが決定する（すなわち、決定ブロック５０６＝「Ｎｏ」）と、ブロック５１０において、着脱式センサポッドは、センサハブとのワイヤレス通信リンクを確立し得る。ドッキングエリア上のコネクタから着脱式センサポッドを取り外すアクションは、取り外された着脱式センサポッド上のトランシーバを活性化させる信号をもたらし得るか、または場合によっては活性化させる条件を生成し得る。着脱式センサポッドのトランシーバの活性化は、センサハブと、Ｂｌｕｅｔｏｏｔｈ（登録商標）ペアリングネゴシエーションなどのワイヤレスリンクネゴシエーションプロセスを開始し得る。上記で説明したように、ブロック５１１において、取り外された着脱式センサポッドがセンサハブと正常にペアになるときに、表示が、取り外された着脱式センサポッドのインジケータ上に表現され得る。同じく、この表示は、視覚的、聴覚的、または視覚的と聴覚的の組合せであってよい。
【００８８】
センサハブと取り外された着脱式センサポッドの各々との間にワイヤレス通信リンクを確立することの一部として、センサハブおよび着脱式センサポッドは、感知所定位置の着脱式センサポッドに対して使用されたものと異なる通信プロトコル（たとえば、ワイヤレス通信プロトコル）を実施し得る。着脱式センサポッドがメインセンサユニットまたはメインパッチから取り外されると、取り外された着脱式センサポッドとセンサハブとの間、および所定の位置にある着脱式センサポッドとセンサハブとの間の通信の協調が、特定の関心事となり得る。着脱式センサポッドは、最初にセンサハブに直接接続されているので、着脱式センサポッドとセンサハブとの間の通信の協調は、この条件の間はワイヤードネットワークプロトコルを使用して確立され得る。すなわち、初期のセンサハブへの直接接続に基づいて、着脱式センサポッドは、センサハブからのクロックまたは他のタイミング信号、ならびに将来、適切な間隔またはタイムスロットの間にそのセンサの読みをセンサハブに報告するために、適切な間隔またはタイムスロットに関する情報を提供され得る。したがって、取り外されると、着脱式センサポッドは、事前確立された時間に信号を送信し得る。送信は、センサハブによる肯定応答の有無にかかわらず、着脱式センサポッドからセンサハブに送られてよい。着脱式センサポッドのうちの一部だけが取り外され得るので、ポーリング方式は、センサハブと、取り外された着脱式センサポッドおよび所定の位置にある着脱式センサポッドとの間の協調を簡略化するために使用され得る。そのような方式では、センサハブは、所定の位置にある着脱式センサポッドとの電気的接続、または分離された着脱式センサポッドへのワイヤレス通信リンクのいずれかを介して、着脱式センサポッドに信号を送り、そのデータを送信することをポーリングされた着脱式センサポッドにシグナリングすることができる。スケジュールされたポーリング通信プロトコルでは、着脱式センサポッドは、協調を保つために一定時間内にポーリング信号に応答するように構成され得る。アドホックなまたはスケジュールされないポーリング構成では、センサハブは、現今ポーリングされている着脱式センサポッドから送信が受信された後にだけ、次の着脱式センサポッドをポーリングし得る。現今ポーリングされている着脱式センサポッドが、規定の時間フレーム内にまったく応答できない場合のタイムアウトの可能性を前提として、現今ポーリングされている着脱式センサポッドからの応答が受信されない場合、センサハブは進行することができる。
【００８９】
ブロック５１２において、分離されたセンサポッドは、そのそれぞれの物理的または生理的パラメータを感知するための位置において、体の上に配置または再配置され得る。着脱式センサポッドの各々が、分離されたときに配置される体の上の位置は、着脱式センサポッドが測定する物理的または生理的パラメータに応じて決定され得る。たとえば、脈拍を感知する着脱式センサポッドは、静脈の上または心臓の近くなど、脈拍が観測され得る位置に配置される必要がある。
【００９０】
別の例として、ＥＫＧ着脱式センサポッドは、特定の電気生理学的信号を取り出すために、患者の心臓および胸に対する特定の位置に配置される必要がある。ＥＫＧ感知構成は、患者の心臓の活動のモニタリングに関連する特定の電気生理学的信号を感知するために使用されるいくつかの「リード線」の設置を伴う。リード線は、患者の腕と脚とに接続して肢間（ｉｎｔｅｒ−ｌｉｍｂ）電圧を検出する肢リード線（ｌｉｍｂ  ｌｅａｄ）を含み得る。リード線は、患者の心臓の近くの胸に接続され得る前胸リード線をさらに含み得る。着脱式センサポッドまたはリード線のすべてからの信号の組合せは、着脱式センサポッドが所定の位置にとどまる場合に可能なＥＫＧの読みと比較すると、強化されたＥＫＧの読みをもたらし得る。
【００９１】
臨床医による着脱式センサポッドの適切な設置を容易にするために、着脱式センサポッドは、適切な設置が達成されたかどうかを決定するための機構を用いて構成され得る。上記で説明したように、そのような設置機構は、着脱式センサポッドの各々が、その位置と記憶された座標値とを比較するために使用し得る、体座標系の使用を伴う場合がある。別の設置機構は、着脱式センサポッドが患者に貼付されたときにセンサデータをサンプリングし、対象とする物理的または生理的パラメータが送ることができたかどうかを決定するセンサポッドコントローラを伴う場合がある。したがって、決定ブロック５１３において、着脱式センサポッドのコントローラは、着脱式センサポッドが患者の上の適切な感知位置に正常に設置されているかどうかを決定し得る。
【００９２】
様々な実施形態では、センサハブ、受信機、または医療システムのうちの１つまたは複数が、十分な読み、最適な読み、または他のレベルのセンサ信号の十分性を構成する着脱式センサポッドからのセンサ信号の十分性に関する情報を記憶し得る。代替として、センサハブは、単に、着脱式センサポッドからのセンサの読みの受信に対して一定のレベルが達成されたときを検出する能力を提供し得る。たとえば、位置が適切または「正常」であると見なされるために、センサ信号は、所望の物理的または生理的パラメータに関連するしきい値レベルにあるか、またはそれに関連する特徴的パターンを提示している必要がある。
【００９３】
センサポッドコントローラが体の上に適切に配置されているものと、センサポッドコントローラが決定する（すなわち、決定ブロック５１３＝「Ｙｅｓ」）と、ブロック５１４において、正常な設置の表示が表現され得る。上記で説明したように、そのような表示は、視覚的、聴覚的、または視覚的と聴覚的の組合せの表示であってよい。正常な設置の表示が表現されない（すなわち、決定ブロック５１３＝「Ｎｏ」）間はずっと、センサポッド表示が緑に変わるなど、正常設置表示が表現されるまで、臨床医は、着脱式センサポッドの再配置を継続する場合がある。一実施形態では、着脱式センサポッドが最適位置に近づきつつあるときを臨床医に知らせるために、ある表示が表現される場合がある。すなわち、表示は、着脱式センサポッドが「正常な」設置に近づくにつれて、またはそこから遠ざかるにつれて漸進的に変化する、色、強度またはディスプレイ要素を使用して、正常な設置の勾配または相対的な程度を表現し得る。たとえば、センサポッド表示は、着脱式センサポッドが体の上の適切な感知位置に接近するにつれて、赤から黄に変わる場合がある。このようにして、センサポッド表示によって提供されるフィードバックは、着脱式センサポッドが適切に配置されているときを臨床医が認識するのを支援し得る。
【００９４】
着脱式センサポッドが体の上に正常に設置されているとき、ブロック５１５において、着脱式センサポッドのセンサは、その物理的または生理的パラメータを感知または測定することを開始する。ブロック５１６において、着脱式センサポッドは、Ｂｌｕｅｔｏｏｔｈ（登録商標）などの通信プロトコルに対してそのセンサデータをセンサハブにワイヤレスに伝達する。ブロック５１５における物理的または生理的パラメータの感知およびブロック５１６におけるセンサデータのセンサハブへの伝達は、体のモニタリングが続く限り、および／または電力が着脱式センサポッドに対して利用可能である限り継続し得る。
【００９５】
様々な実施形態は、スマートフォン、モバイルコンピューティングデバイスなど、様々な異なるタイプの受信機を用いて実施され得る。典型的なスマートフォンのモバイルコンピューティングデバイス６００は、図６に示す構成要素を共通に有することになる。たとえば、スマートフォンのモバイルデバイス６００は、情報を記憶するために、内部メモリ６０４および６０６に結合されたプロセッサ６０１を含み得る。内部メモリ６０４および６０６は、揮発性メモリまたは不揮発性メモリであってもよく、また、セキュアメモリおよび／もしくは暗号化メモリ、または非セキュアメモリおよび／もしくは非暗号化メモリ、またはそれらの任意の組合せであってもよい。プロセッサ６０１はまた、抵抗感知タッチスクリーン、静電容量感知タッチスクリーン、赤外線感知タッチスクリーンなどのタッチスクリーンディスプレイ６１２に結合され得る。いくつかの実施形態では、モバイルコンピューティングデバイス６００のディスプレイは、タッチスクリーン機能を有する必要はない。
【００９６】
スマートフォンのモバイルデバイス６００は、無線信号を送受信するために、１つまたは複数の無線信号トランシーバ６０８（たとえば、Ｐｅａｎｕｔ（登録商標）、Ｂｌｕｅｔｏｏｔｈ（登録商標）、Ｚｉｇｂｅｅ（登録商標）、ＷｉＦｉ、ＲＦ無線）およびアンテナ６１０、またはアンテナデバイスに結合するためのアンテナモジュールを有し得る。無線信号トランシーバ６０８は、互いに結合されてよく、および／またはプロセッサ６０１に結合されてもよい。モバイルコンピューティングデバイス６００は、セルラーデータネットワーク（たとえば、ＣＤＭＡ、ＴＤＭＡ、ＧＳＭ（登録商標）、ＰＣＳ、３Ｇ、４Ｇ、ＬＴＥ、または任意の他のタイプのセルラーデータネットワーク）を介した通信を可能にし、かつプロセッサ６０１に結合された、セルラーネットワークワイヤレスモデムチップ６１６を含み得る。モバイルコンピューティングデバイス６００は、プロセッサ６０１に結合された周辺デバイス接続インターフェース６１８を含む場合がある。周辺デバイス接続インターフェース６１８は、１つのタイプの接続を受け入れるように単独で構成され得るか、またはＵＳＢ、ＦｉｒｅＷｉｒｅ、ＴｈｕｎｄｅｒｂｏｌｔもしくはＰＣＩｅなどの様々なタイプの物理接続および通信接続を一般的な接続もしくは専用の接続として受け入れるように複合的に構成され得る。周辺デバイス接続インターフェース６１８は、同様に構成された周辺デバイス接続ポートに結合される場合もある。スマートフォンのモバイルコンピューティングデバイス６００は、オーディオ出力を提供するための１つまたは複数のスピーカ６１４を含む場合もある。スマートフォンのモバイルコンピューティングデバイス６００は、本明細書で説明した構成要素の全部または一部を収容するための、プラスチック、金属、または材料の組合せから構築された筐体６２０を含む場合もある。いくつかの実施形態では、物理アンテナ構造は、筐体６２０内に組み込まれてよく、アンテナモジュール６１０に結合されてもよい。スマートフォンのモバイルコンピューティングデバイス６００は、使い捨てまたは充電可能なバッテリーなど、プロセッサ６０１に結合された電源６２２を含む場合もある。充電可能なバッテリーは、モバイルコンピューティングデバイス６００の外部にある電源から充電電流を受けるために、周辺デバイス接続ポートに結合される場合もある。スマートフォンのモバイルコンピューティングデバイス６００は、デバイスのロケーションを判断するための、プロセッサ６０１に結合されたＧＰＳ受信機も含み得る。スマートフォンのモバイルコンピューティングデバイス６００は、ユーザ入力を受け取るための物理ボタン６１２ｂを含む場合もある。
【００９７】
上記で説明した様々な実施形態はまた、図７に示すパーソナルコンピュータ７００など、センサハブからセンサデータを受信するための様々なコンピューティングデバイス内に、および／またはそれらとともに実装され得る。パーソナルコンピュータ７００は通常、揮発性メモリと、フラッシュメモリデバイス７０２のような大容量の不揮発性メモリとに結合されたプロセッサ７０１を含む。パーソナルコンピュータ７００はまた、プロセッサ７０１に結合されたフロッピーディスクドライブおよびコンパクトディスク（ＣＤ）ドライブを含み得る。パーソナルコンピュータ７００は、１つまたは複数のワイヤードネットワークまたはワイヤレスネットワークを介してプロセッサ７０２が他のコンピューティングデバイスと通信することが可能になるように構成された、プロセッサ７０１に結合されたいくつかのネットワークトランシーバまたはネットワークコネクタポート７０６も含み得る。具体例として、ラップトップコンピュータ７００のネットワークトランシーバは、イーサネット（登録商標）、ＵＳＢまたはファイアワイヤ（登録商標）コネクタソケット／トランシーバ、電磁放射を送受信するための１つまたは複数のアンテナに結合されたＷｉ−Ｆｉおよび／またはセルラーデータネットワークトランシーバなどの１つまたは複数のワイヤレスモデムトランシーバを含み得る。パーソナルコンピュータ７００は、プロセッサ７０１を、将来開発され得るネットワークに結合するための他のタイプのネットワーク接続回路も含み得る。図７に示すノートブック構成では、コンピュータの筐体７０５は、すべてがプロセッサ７０１に結合された、タッチパッド７０７、キーボード７０８、およびディスプレイ７０９を含む。コンピューティングデバイスの他の構成は、よく知られているように、（たとえば、ＵＳＢ入力を介して）プロセッサに結合されたコンピュータマウスまたはトラックボールを含んでよく、それらはまた、様々な実施形態とともに使用され得る。
【００９８】
プロセッサ６０１、７０１は、本明細書で説明した様々な実施形態の機能、手順、アルゴリズム、または他のプロセスを含む、様々な機能を実行するようにソフトウェア命令（アプリケーション）によって構成され、専用プロセッサに変換され得る、任意のプログラマブルマイクロプロセッサ、マイクロコンピュータ、または１つもしくは複数の多重プロセッサチップであり得る。いくつかのモバイルデバイスでは、１つのプロセッサをワイヤレス通信機能専用にし、１つのプロセッサを他のアプリケーションの実行専用にするように、複数のプロセッサを設けることができる。通常、ソフトウェアアプリケーションは、それらがアクセスされ、プロセッサ６０１、７０１にロードされる前に、内部メモリ６０２、７０２に記憶することができる。プロセッサ６０１、７０１は、アプリケーションソフトウェア命令および他の情報を記憶するのに十分な内部メモリを含み得る。
【００９９】
情報および信号が、多種多様な異なる技術および技法のいずれかを用いて表される場合があることが当業者には理解されよう。たとえば、上記の説明全体にわたって参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【０１００】
さらに、上述の方法の説明およびプロセスフロー図は、単に説明のための例として提供されており、様々な実施形態のステップが提示された順序で実行されなければならないことを要求または暗示することは意図されないことは、当業者には諒解されよう。当業者は理解するであろうが、上記の実施形態でのステップの順序は、任意の順序で実施され得る。「その後で」、「次いで」、「次に」などの語は、ステップの順序を限定するものではなく、これらの語は単に、方法の説明を通じて読者を誘導するために使用されるものである。さらに、たとえば冠詞「ａ」、「ａｎ」、または「ｔｈｅ」を用いる、請求項要素に対する単数での任意の参照は、要素を単数に限定すると解釈されるべきではない。
【０１０１】
本明細書で開示された実施形態に関して説明した様々な例示的な論理ブロック、モジュール、回路、およびアルゴリズムステップは、電子ハードウェア、コンピュータソフトウェア、またはその両方の組合せとして実装することができる。ハードウェアおよびソフトウェアのこの互換性を明確に示すために、様々な例示的な構成要素、ブロック、モジュール、回路、およびステップが、概してそれらの機能に関して上述されている。そのような機能性がハードウェアとして実現されるか、またはソフトウェアとして実現されるかは、具体的な適用例およびシステム全体に課される設計制約によって決まる。当業者は、説明された機能性を特定の適用例ごとに様々なやり方で実施することができるが、そのような実施判断が、本発明の範囲からの逸脱を引き起こすと解釈されるべきではない。
【０１０２】
本明細書で開示された実施形態に関して説明された様々な例示的な論理、論理ブロック、モジュール、および回路を実装するために使用されるハードウェアは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェアコンポーネント、または本明細書で説明された機能を実行するように設計されたそれらの任意の組合せを用いて実装または実行され得る。汎用プロセッサは、マイクロプロセッサであってもよいが、代替として、プロセッサは、任意の従来のプロセッサ、コントローラ、マイクロコントローラ、またはステートマシンであってもよい。プロセッサは、コンピューティングデバイスの組合せ、たとえばＤＳＰとマイクロプロセッサの組合せ、複数のマイクロプロセッサ、ＤＳＰコアと連結した１つまたは複数のマイクロプロセッサ、または任意の他のこのような構成としても実装されてよい。あるいは、いくつかのステップまたは方法は、所与の機能に固有の回路によって実行され得る。
【０１０３】
様々な実施形態における機能は、ハードウェア、ソフトウェア、ファームウェア、またはそれらの任意の組合せで実装され得る。ソフトウェアで実装される場合、機能は、非一時的コンピュータ可読媒体上または非一時的プロセッサ可読媒体上の１つまたは複数のプロセッサ実行可能命令またはコードとして記憶されてもよい。本明細書で開示された方法またはアルゴリズムのステップは、非一時的コンピュータ可読またはプロセッサ可読記憶媒体上に常駐することができるプロセッサ実行可能ソフトウェアモジュールにおいて具体化され得る。非一時的コンピュータ可読またはプロセッサ可読記憶媒体は、コンピュータまたはプロセッサによってアクセスされ得る任意の記憶媒体であり得る。例として、そのような非一時的コンピュータ可読またはプロセッサ可読媒体は、これらに限定はしないが、ＲＡＭ、ＲＯＭ、ＥＥＰＲＯＭ、フラッシュメモリ、ＣＤ−ＲＯＭもしくは他の光ディスク（ｄｉｓｃ）記憶装置、磁気ディスク（ｄｉｓｋ）記憶装置もしくは他の磁気記憶デバイス、または命令もしくはデータ構造の形態で所望のプログラムコードを記憶するために使用され得、コンピュータによってアクセスされ得る任意の他の媒体を含むことができる。ディスク（ｄｉｓｋ）およびディスク（ｄｉｓｃ）は、本明細書で使用される場合、コンパクトディスク（ｄｉｓｃ）（ＣＤ）、レーザディスク（ｄｉｓｃ）、光ディスク（ｄｉｓｃ）、デジタル多用途ディスク（ｄｉｓｃ）（ＤＶＤ）、フロッピーディスク（ｄｉｓｋ）、およびブルーレイディスク（ｄｉｓｃ）を含み、ここで、ディスク（ｄｉｓｋ）は通常データを磁気的に再生し、ディスク（ｄｉｓｃ）はデータをレーザを用いて光学的に再生する。上記の組合せはまた、非一時的コンピュータ可読およびプロセッサ可読媒体の範囲内に含まれる。加えて、方法またはアルゴリズムの動作は、コンピュータプログラム製品に組み込まれ得る非一時的プロセッサ可読媒体および／またはコンピュータ可読媒体上のコードおよび／または命令の１つまたは任意の組合せもしくはセットとして常駐することができる。
【０１０４】
開示した実施形態の前述の説明は、任意の当業者が本発明を作成または使用することを可能にするために提供される。これらの実施形態への様々な修正は当業者には容易に明らかになり、本明細書で定義する一般的な原理は、本発明の範囲から逸脱することなく他の実施形態に適用されてもよい。したがって、本発明は、本明細書に示す実施形態に限定されることを意図しておらず、以下の特許請求の範囲、ならびに本明細書で開示する原理および新規の特徴と一致する最も広い範囲を与えられるべきである。
【符号の説明】
【０１０５】
１００  一体型粘着センサアレイ
１０２  ネットワーク
１１０  メインセンサユニットまたはメインパッチ
１１０ａ  基盤レイヤまたは基板レイヤ
１１０ｂ  粘着レイヤ
１２０  着脱式センサポッド
１２０ａ  基板レイヤ
１２０ｂ  粘着レイヤ
１２０ｃ  ドッキングエリア
１２１ａ  電気的コネクタ
１２１ｂ  電気的コネクタ
１２２  インジケータ
１２２ａ  表示
１２２ｂ  表示
１２３  無線信号
１２４  アーム
１３０  センサハブ
１３２  インジケータ
１３２ａ  表示
１３２ｂ  表示
２０２  通信システム
２１０  患者
２１１ａ  設置位置
２１１ｂ  設置位置
２４０  モバイルコンピューティングデバイス
２４０ａ  モバイル通信デバイス
２４０ｂ  モバイルコンピューティングデバイス
２４１ａ  ワイヤレス通信リンク
２４１ｂ  無線信号、接続
２４１ｃ  ワイヤレス通信リンク
２４２  ディスプレイ
２４２ａ  ワイヤレス通信リンク
２４２ｂ  接続
２５０  受信機
２５０ａ  接続
２５０ｂ  データ接続
２５１  アンテナ
２５２  コンピューティングデバイス
２５２ａ  データ接続
２５３  記憶デバイス
２６０  ワイヤレスインフラストラクチャ構成要素
２６０ａ  接続
２７０  サーバ
３０１  ユーザ
３２１  プルタブ
３３４  アーム
３４０  取り外し力
３４１  矢印
４００  実施形態のシステム
４２１  アンテナ
４２１ａ  ワイヤレス通信リンク
４２２  インジケータ
４２２ａ  表示
４２２ｂ  表示
４２３  着脱式センサポッドコネクタ
４２５  コントローラ
４２５ａ  メモリ
４２６  トランシーバ
４２７  電力要素
４２８  センサ要素
４２９  センサ線
４３１  アンテナ
４３１ａ  ワイヤレス通信リンク
４３２  インジケータ
４３２ａ  表示
４３３  コネクタ
４３５  コントローラ
４３５ａ  メモリ
４３６  トランシーバ
４３７  電力要素
４３８  環境発電要素
４３９  データ線
４５０  受信機
４５１  アンテナ
６００  スマートフォンのモバイルコンピューティングデバイス
６０１  プロセッサ
６０４  内部メモリ
６０６  内部メモリ
６０８  無線信号トランシーバ
６１０  アンテナ
６１２  タッチスクリーンディスプレイ
６１２ｂ  物理ボタン
６１４  スピーカ
６１６  セルラーネットワークワイヤレスモデムチップ
６１８  周辺デバイス接続インターフェース
６２０  筐体
６２２  電源
７００  パーソナルコンピュータ
７０１  プロセッサ
７０２  フラッシュメモリデバイス
７０６  ワイヤードネットワークまたはワイヤレスネットワーク
７０７  タッチパッド
７０８  キーボード
７０９  ディスプレイ
【図１Ａ】
2017503536.tif 000003
【図１Ｂ】
2017503536.tif 000004
【図２Ａ】
2017503536.tif 000005
【図２Ｂ】
2017503536.tif 000006
【図２Ｃ】
2017503536.tif 000007
【図３Ａ】
2017503536.tif 000008
【図３Ｂ】
2017503536.tif 000009
【図３Ｃ】
2017503536.tif 000010
【図３Ｄ】
2017503536.tif 000011
【図３Ｅ】
2017503536.tif 000012
【図３Ｆ】
2017503536.tif 000013
【図３Ｇ】
2017503536.tif 000014
【図４Ａ】
2017503536.tif 000015
【図４Ｂ】
2017503536.tif 000016
【図４Ｃ】
2017503536.tif 000017
【図４Ｄ】
2017503536.tif 000018
【図５】
2017503536.tif 000019
【図６】
2017503536.tif 000020
【図７】
2017503536.tif 000021
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
体の物理的または生理的パラメータを測定するための一体型粘着センサアレイであって、
パッチと、
前記パッチに結合されたセンサハブと、
前記パッチに着脱可能に結合された着脱式センサポッドとを備え、
前記パッチが、
フレキシブル粘着基板と、
前記フレキシブル粘着基板と一体化されたフレキシブルレイヤであって、前記センサハブおよび前記センサハブに結合されたセンサハブ配線をサポートする、フレキシブルレイヤと、
前記着脱式センサポッドが着脱可能に結合されたドッキングエリアであって、前記センサハブ配線に結合されたコネクタを含むドッキングエリアとを備え、
前記センサハブが、
ワイヤレストランシーバと、
第１のエネルギー貯蔵要素と、
前記ワイヤレストランシーバ、前記センサハブ配線、および前記第１のエネルギー貯蔵要素に結合されたプロセッサであって、前記センサハブが受信機の範囲内にあるときに前記受信機と第１のワイヤレス通信リンクを確立するステップを含む動作を実施するようにプロセッサ実行可能命令を用いて構成されるプロセッサとを備え、
前記着脱式センサポッドが、
センサと、
第２のエネルギー貯蔵要素と、
前記センサおよび前記第２のエネルギー貯蔵要素に結合された送信機とを備え、
前記着脱式センサポッドが、
前記着脱式センサポッドが前記ドッキングエリアに取り付けられているときに、前記パッチ上で前記センサハブ配線に結合されたコネクタを介して、前記着脱式センサポッドが前記センサハブに結合され前記センサハブによって給電され、
前記着脱式センサポッドが前記ドッキングエリアから分離されるときに、前記着脱式センサポッドの前記送信機と前記センサハブのワイヤレストランシーバとの間に確立された第２のワイヤレス通信リンクを介して、前記着脱式センサポッドが前記センサハブにセンサデータを送信するように構成される、一体型粘着センサアレイ。
【請求項２】
前記センサハブが、前記プロセッサに結合された第１のインジケータをさらに備え、
前記プロセッサが、前記第１のワイヤレス通信リンクが受信機と確立されたときに、前記第１のインジケータ上に第１の表示をもたらすステップを含む動作を実施するように、プロセッサ実行可能命令を用いて構成される、請求項１に記載の一体型粘着センサアレイ。
【請求項３】
前記プロセッサが、前記着脱式センサポッドが前記ドッキングエリアから分離されたときに、体の上の前記着脱式センサポッドの適切な設置に関する第２の表示を前記第１のインジケータ上にもたらすステップをさらに含む動作を実施するように、プロセッサ実行可能命令を用いて構成される、請求項２に記載の一体型粘着センサアレイ。
【請求項４】
前記第１のインジケータが、設置基準が満足されたときに前記第２の表示の第１のバージョンをもたらし、前記設置基準が満足されないときに前記第２の表示の第２のバージョンをもたらすように構成される、請求項３に記載の一体型粘着センサアレイ。
【請求項５】
前記第２の表示の前記第１のバージョンが緑のディスプレイであり、前記第２の表示の前記第２のバージョンが赤のディスプレイである、請求項４に記載の一体型粘着センサアレイ。
【請求項６】
前記ドッキングエリアが、前記一体型センサアレイが不規則な輪郭を有する表面に付着されることを可能にするように構成された、前記フレキシブル基板および前記フレキシブル一体型レイヤの突出部上に配置される、請求項１に記載の一体型粘着センサアレイ。
【請求項７】
前記突出部が、断裂に耐えるように、前記着脱式センサポッドを前記ドッキングエリアから取り外すことによって生成される力を分散するようにさらに構成される、請求項６に記載の一体型粘着センサアレイ。
【請求項８】
体の上の前記着脱式センサポッドの適切な設置に関する前記第１のインジケータ上にもたらされる前記第２の表示が、前記着脱式センサポッドの前記センサからの信号と容認可能なセンサ信号のしきい値とを比較することによってもたらされ、前記比較に基づいて前記センサ信号が前記しきい値を満足するときに前記第２の表示を生成するように、前記着脱式センサポッドが構成される、請求項３に記載の一体型粘着センサアレイ。
【請求項９】
前記着脱式センサポッドが第２のインジケータをさらに備え、前記着脱式センサポッドが、体の上の前記着脱式センサポッドの適切設置に関する前記第２のインジケータを介する第３の表示を、
前記体に対する前記着脱式センサポッドの現在位置を決定することと、
前記体に対する前記着脱式センサポッドの前記現在位置と前記着脱式センサポッドに対する適切な設置位置とを比較することと、
前記着脱式センサポッドの前記現在位置が、前記着脱式センサポッドに対する前記適切な設置位置と比較して遜色がないかどうかに基づいて、前記第２のインジケータを介して前記第３の表示をもたらすこととによってもたらすように構成される、請求項１に記載の一体型粘着センサアレイ。
【請求項１０】
センサハブおよび着脱式センサポッドを含む一体型粘着センサアレイを使用して物理的または生理的パラメータを測定する方法であって、
前記センサハブとワイヤレス受信機との間に第１の通信リンクを確立するステップと、
前記一体型粘着センサアレイを体に取り付けるステップと、
前記着脱式センサポッドと前記センサハブとの間に第２の通信リンクを確立するステップであって、前記第２の通信リンクが、前記着脱式センサポッドが前記一体型粘着センサアレイに取り付けられているときにワイヤード通信リンクを含む、ステップと、
前記着脱式センサポッドによって物理的または生理的パラメータを感知するステップと、
前記第２の通信リンクを介して前記着脱式センサポッドから前記センサハブに前記物理的または生理的パラメータのセンサデータを送信するステップと、
前記第１の通信リンクを介して前記センサハブから前記受信機に前記センサデータを送信するステップと、
前記着脱式センサポッドが前記一体型粘着センサアレイから分離されることに応答して前記着脱式センサポッドと前記センサハブとの間に、ワイヤレス通信リンクである第３の通信リンクを確立するステップとを含む、方法。
【請求項１１】
前記センサハブと前記ワイヤレス受信機との間の前記第１の通信リンクの確立を示す第１の表示を生成するステップをさらに含む、請求項１０に記載の方法。
【請求項１２】
前記着脱式センサポッドが前記一体型粘着センサアレイから分離されているときに、前記第３の通信リンクを介して前記着脱式センサポッドから前記センサハブに前記物理的または生理的パラメータのセンサデータを送信するステップをさらに含む、請求項１１に記載の方法。
【請求項１３】
前記着脱式センサポッドが、前記一体型粘着センサアレイから分離されることに応答して、前記体の上の前記着脱式センサポッドの位置が、前記物理的または生理的パラメータを測定するのに適切であるかどうかを決定するステップと、
前記体の上の前記着脱式センサポッドの前記位置が、前記物理的または生理的パラメータを測定するのに適切であるかどうかに関する第２の表示を生成するステップとをさらに含む、請求項１２に記載の方法。
【請求項１４】
前記体の上の前記着脱式センサポッドの位置が、前記物理的または生理的パラメータを測定するのに適切であるかどうかを決定するステップが、
前記着脱式センサポッド上のセンサからの信号と容認可能なセンサ信号のしきい値とを比較するステップと、
前記比較に基づいて前記センサ信号が容認可能なセンサ信号の前記しきい値を満足することに応答して、前記位置が適切であるものと決定するステップとを含む、請求項１３に記載の方法。
【請求項１５】
前記体の上の前記着脱式センサポッドの位置が、前記物理的または生理的パラメータを測定するのに適切であるかどうかを決定するステップが、
前記体に対する前記着脱式センサポッドの現在位置を決定するステップと、
前記体に対する前記着脱式センサポッドの前記現在位置と前記着脱式センサポッドに対する適切な設置位置とを比較するステップと、
前記着脱式センサポッドの前記現在位置が、前記着脱式センサポッドに対する前記適切な設置位置と比較して遜色がないことに応答して、前記位置が適切であるものと決定するステップとを含む、請求項１３に記載の方法。
【請求項１６】
前記体の上の前記着脱式センサポッドの前記位置が、前記物理的または生理的パラメータを測定するのに適切であるかどうかに関する第２の表示を生成するステップが、
前記着脱式センサポッドの前記現在位置が、前記適切な設置位置と比較して遜色がないものと決定することに応答して、前記第２の表示を生成するステップと、
前記着脱式センサポッドの前記現在位置が、前記適切な設置位置と比較して遜色があるものと決定することに応答して、前記第２の表示と異なる第３の表示を生成するステップとを含む、請求項１５に記載の方法。
【請求項１７】
前記第１の表示、前記第２の表示および前記第３の表示が、カラーディスプレイ表示、聴覚的表示、および英数字ディスプレイ表示のうちの１つまたは複数を含む、請求項１６に記載の方法。
【請求項１８】
体の物理的または生理的パラメータを測定するための一体型粘着センサアレイであって、
センサハブと、
前記一体型粘着センサアレイのドッキングエリアに着脱可能に結合された着脱式センサポッドと、
前記センサハブと受信機との間に第１の通信リンクを確立するための手段と、
前記一体型粘着センサアレイを体に取り付けるための手段と、
前記着脱式センサポッドと前記センサハブとの間に第２の通信リンクを確立するための手段であって、前記第２の通信リンクが、前記着脱式センサポッドが前記一体型粘着センサアレイに取り付けられているときにワイヤード通信リンクを含む、手段と、
前記着脱式センサポッドによって物理的または生理的パラメータを感知するための手段と、
前記第２の通信リンクを介して前記着脱式センサポッドから前記センサハブに前記物理的または生理的パラメータのセンサデータを送信するための手段と、
前記第１の通信リンクを介して前記センサハブから前記ワイヤレス受信機に前記物理的または生理的パラメータの前記センサデータを送信するための手段と、
前記着脱式センサポッドが前記一体型粘着センサアレイから分離されることに応答して前記着脱式センサポッドと前記センサハブとの間に、ワイヤレス通信リンクを含む第３の通信リンクを確立するための手段とを含む、一体型粘着センサアレイ。
【請求項１９】
前記センサハブと前記ワイヤレス受信機との間の前記第１の通信リンクの確立の第１の表示を生成するための手段をさらに含む、請求項１８に記載の一体型粘着センサアレイ。
【請求項２０】
前記着脱式センサポッドが前記一体型粘着センサアレイから分離されているときに、前記第３の通信リンクを介して前記着脱式センサポッドから前記センサハブに前記物理的または生理的パラメータのセンサデータを送信するための手段をさらに含む、請求項１９に記載の一体型粘着センサアレイ。
【請求項２１】
前記着脱式センサポッドが、前記一体型粘着センサアレイから分離されることに応答して、前記体の上の前記着脱式センサポッドの位置が、前記物理的または生理的パラメータを測定するのに適切であるかどうかを決定するための手段と、
前記体の上の前記着脱式センサポッドの前記位置が、前記物理的または生理的パラメータを測定するのに適切であるかどうかに関する第２の表示を生成するための手段とをさらに含む、請求項２０に記載の一体型粘着センサアレイ。
【請求項２２】
前記体の上の前記着脱式センサポッドの位置が、前記物理的または生理的パラメータを測定するのに適切であるかどうかを決定するための手段が、
前記着脱式センサポッドに関連するセンサからの信号と容認可能なセンサ信号のしきい値とを比較するための手段と、
前記着脱式センサポッドに関連する前記センサからの前記信号が、容認可能なセンサ信号の前記しきい値を満足することに応答して、前記体の上の前記着脱式センサポッドの前記位置が適切であるものと決定するための手段とを含む、請求項２１に記載の一体型粘着センサアレイ。
【請求項２３】
前記体の上の前記着脱式センサポッドの位置が、前記物理的または生理的パラメータを測定するのに適切であるかどうかを決定するための手段が、
前記体に対する前記着脱式センサポッドの現在位置を決定するための手段と、
前記体に対する前記着脱式センサポッドの前記現在位置と前記着脱式センサポッドに対する適切な設置位置とを比較するための手段と、
前記着脱式センサポッドの前記現在位置が、前記着脱式センサポッドに対する前記適切な設置位置と比較して遜色がないことに応答して、前記体の上の前記着脱式センサポッドの前記位置が適切であるものと決定するための手段とを含む、請求項２１に記載の一体型粘着センサアレイ。
【請求項２４】
前記体の上の前記着脱式センサポッドの前記位置が、前記物理的または生理的パラメータを測定するのに適切であるかどうかに関する第２の表示を生成するための手段が、
前記着脱式センサポッドの前記現在位置が、前記適切な設置位置と比較して遜色がないものと、決定するための前記手段によって決定することに応答して、前記第２の表示を生成するための手段と、
前記着脱式センサポッドの前記現在位置が、前記適切な設置位置と比較して遜色があるものと決定することに応答して、前記第２の表示と異なる第３の表示を生成するための手段とを含む、請求項２３に記載の一体型粘着センサアレイ。
【請求項２５】
前記第１の表示、前記第２の表示および前記第３の表示が、カラーディスプレイ表示、聴覚的表示、および英数字ディスプレイ表示のうちの１つまたは複数を含む、請求項２４に記載の一体型粘着センサアレイ。
【国際調査報告】
2017503536.tif 000022
2017503536.tif 000023